(57)【要約】      （修正有）【課題】ペットボトルに代表されるキャップ付きボトル型樹脂容器につき、開栓後に、キャップ周状バンドが材質の異なる異質物として、ボトル口部外周スクリュー部下に設置されている周状の突起下に残されないようにする。【解決手段】従来のペットボトルに代表されるキャップ付きボトル型樹脂容器の持つ機能を損なうことなく、従来のキャップ周状バンドの持つ機能をボトルキャップ体１の一部分として取り込み、ボトル口部外周１２より開閉栓に伴う着脱を可能にした。【選択図】図３
2005247425.tif 000002
【特許請求の範囲】
【請求項１】
未開栓の状態からボトルキャップ体が開栓により開栓方向に回転する時、ボトルキャップ体周側面の内周に配置されている突片等とボトル口部外周スクリュー部下部に設けられている下端にフラット面を有するボトル口部周方向突起との係合によりボトルキャップ体周側面を上下に分離する切れ目を接合している破断可能な連結体が破断する一方、ボトルキャップ体周側面はその周側面を上下に分離可能な切れ目を有さない箇所を同周線上に有していることにより、その分離可能な切れ目を有さない箇所はボトルキャップ体の開栓方向への回転とともに上昇し、また、下端にフラット面を有しているボトル口部周方向突起と同周上のボトル口部外周には、上記係合を消滅させる主にボトル口部周方向突起の全く存在しない部分及びその突起下端フラット面から上記突起の全く存在しない箇所にかけたその一部分にボトル口部下方に向けた突部を有し、さらに、ボトル口部外周に設置されているスクリュー部は、上記ボトル口部周方向突起へ連結されており、開栓による上記連結体破断後ボトルキャップ体周側面の上記切れ目を有する箇所下方のボトルキャップ体周側面内周に設置されている突片等は上記突起下端フラット面との係合から開放され、その後にほぼ螺旋状にボトル口部外周に設置されている連結箇所を含めたスクリュー部を回転しながら上昇しボトル口部より外れるが、また、再閉栓時には開栓によりボトル口部より外れたボトルキャップ体全体で閉栓が行われ、再閉栓完了直前及び完了時には、ボトル口部周方向突起下端フラット面から上記突起の全く存在しない箇所にかけて設置されている突部と、ボトルキャップ体周側面内周に設置されている突片等との接触により、上下に分離しているボトルキャップ体周側面下方部分はボトル口部外周下部方向に下がり、容易に開栓の表示が明確となる以上のような特徴を備えたペットボトルに代表されるキャップ付きボトル型樹脂容器。
【請求項２】
ボトルキャップ体周側面の一周線上には、その周側面を上下に分離可能な切れ目がその周上の一定箇所に設置されるが、その一周線上を含めた下方のボトルキャップ体周側面も、ボトルキャップ体の開閉栓においてボトルキャップ体としてボトル口部外周を開閉栓機能をもって動作する請求項１に記載のペットボトルに代表されるキャップ付きボトル型樹脂容器。
【請求項３】
請求項２に記載したボトルキャップ体周側面を上下に分離可能な切れ目は、ボトルキャップ体開栓の際に、その切れ目に作用する力により破断可能な連結体で接合されているが、その連結体についても同様に開閉栓機能をもつボトルキャップ体周側面の周上の一部分を除く一定箇所に設置されるものである請求項１乃至２に記載のペットボトルに代表されるキャップ付きボトル型樹脂容器。
【請求項４】
ボトルキャップ体としてボトル口部外周を開閉栓機能をもって動作する請求項２に記載したボトルキャップ体周側面を上下に分離可能な切れ目の一周線上の他の一定箇所は、その周側面を上下に分離可能な切れ目を有さない請求項１乃至３に記載のペットボトルに代表されるキャップ付きボトル型樹脂容器。
【請求項５】
請求項２乃至４に記載したボトルキャップ体周側面の一周線上の下方のボトルキャップ体周側面内周には突片等が周状に設置されるが、この突片等についても同様にボトルキャップ体としてボトル口部外周を開閉栓機能をもって動作し、開栓の際には主に請求項３に記載の連結体の破断に係る請求項１乃至４に記載のペットボトルに代表されるキャップ付きボトル型樹脂容器。
【請求項６】
請求項５に記載したボトルキャップ体周側面内周の一周線上の下方のボトルキャップ体周側面内周には突片等が設置され、請求項３に記載の連結体の破断に主に係るほか、その突片等はボトルキャップ体の開閉栓時に、ボトル口部外周スクリュー部ほかをボトルキャップ体周側面内周に設置された突片等全体が上昇及び下降するに適した形状形態を少なくともその一部分に持つ請求項１乃至５に記載のペットボトルに代表されるキャップ付きボトル型樹脂容器。
【請求項７】
ボトル口部外周スクリュー部下部の周方向には下端にフラット面を有したボトル口部周方向突起がその周上の一部を除く箇所に設けられ、その下端のフラット面はボトルキャップ体の開栓時に請求項５に記載の突片等と係合する請求項１乃至６に記載のペットボトルに代表されるキャップ付きボトル型樹脂容器。
【請求項８】
ボトル口部周方向突起の突起上端面の一定箇所には閉栓方向側に下るスロープ面を設置する請求項１乃至７に記載のペットボトルに代表されるキャップ付きボトル型樹脂容器。
【請求項９】
請求項７に記載したボトル口部外周スクリュー部下部の周方向に設置された下端にフラット面を有しているボトル口部周方向突起のほかにその同周上には、請求項５に記載の突片等との係合が主にボトルキャップ体の開栓時にほぼ生じない箇所を設置する請求項１乃至８に記載のペットボトルに代表されるキャップ付きボトル型樹脂容器
【請求項１０】
請求項９に記載した突片等との係合が主にボトルキャップ体の開栓時にほぼ生じない箇所として、一つにはボトル口部周方向突起の突起上端面の一定箇所に請求項８に記載の閉栓方向側に下るスロープ面が設置され、そのスロープ面がボトル口部周方向突起下端フラット面に到達する箇所付近には上記突起は全く存在しない請求項１乃至９に記載のペットボトルに代表されるキャップ付きボトル型樹脂容器。
【請求項１１】
請求項１０に記載した突起が全く存在しない箇所の閉栓方向側ボトル口部周方向突起側端面の形状については、ボトルキャップ体の開閉栓にあたり、主に請求項５に記載した突片等が、上記側端面を上昇及び下降するに適した形状とする請求項１乃至１０に記載のペットボトルに代表されるキャップ付きボトル型樹脂容器。
【請求項１２】
請求項９に記載した突片等との係合が主にボトルキャップ体の開栓時にほぼ生じない箇所として、一つには請求項８に記載した上端にスロープ面を形成するボトル口部周方向突起下端フラット面下部からボトル口部周方向突起の全く存在しない箇所にかけたその一部分に、そのフラット面のほぼ高さからボトル口部下方に向けた突部を形成する請求項１乃至１１に記載のペットボトルに代表されるキャップ付きボトル型樹脂容器。
【請求項１３】
請求項１２に記載した突部は、ボトル口部周方向突起の全く存在しない箇所にかかるとき、その周方向先端部分の上端面は閉栓方向に下方傾斜角を持たせる請求項１乃至１２に記載のペットボトルに代表されるキャップ付きボトル型樹脂容器。
【請求項１４】
請求項９に記載した突片等との係合が主にボトルキャップ体の開栓時にほぼ生じない箇所の開栓方向側最終箇所付近のボトル口部周方向突起下端フラット面には、ボトルキャップ体の開栓開始から請求項３に記載の連結体の破断に至るまでのボトルキャップ体の上昇幅分の深さを少なくとももった凹部を設置する請求項１乃至１３に記載のペットボトルに代表されるキャップ付きボトル型樹脂容器。
【請求項１５】
請求項１４に記載の凹部の形状はボトルキャップ体周側面内周に設置された突片等のボトルキャップ体の開閉栓に伴う移行を妨げない形状とする請求項１乃至１４に記載のペットボトルに代表されるキャップ付きボトル型樹脂容器。
【請求項１６】
請求項４に記載したボトルキャップ体の周側面を上下に分離可能な切れ目を有さない箇所は、開栓にあたって請求項３に記載の連結体の破断に至る直前には、請求項９に記載のボトル口部周方向突起と突片等との係合がほぼ生じない箇所付近に位置する請求項１乃至１５に記載のペットボトルに代表されるキャップ付きボトル型樹脂容器
【請求項１７】
ボトル口部外周はスクリュー部が螺旋状に設置されているがそのスクリュー部はボトル口部周方向突起に連結され、そのスクリュー谷部に相当する部分は請求項９に記載の突片等との係合が主にボトルキャップ体の開栓時にほぼ生じない箇所に連なる請求項１乃至１６に記載のペットボトルに代表されるキャップ付きボトル型樹脂容器。
【請求項１８】
再閉栓においては、請求項１７に記載したスクリュー部をボトルキャップ体が回転を伴ってボトル口部外周を降下するが、再閉栓終了にあたりボトルキャップ体周側面内周に設置された突片等は主にボトル口部周方向突起下端フラット面並びに上端にスロープを形成するボトル口部周方向突起下端フラット面下部からボトル口部周方向突起の全く存在しない箇所にかけたその一部分に設置された突部と接触し、上下に分離されているボトルキャップ体周側面の下方部分はボトル口部下方に下がり、ダンパーエビデント性を確実に確保できる請求項１乃至１７に記載のペットボトルに代表されるキャップ付きボトル型樹脂容器。
【請求項１９】
請求項１８に記載した上下に分離されているボトルキャップ体周側面の下方部分の最も下がる箇所を未開栓並びに開栓確認箇所として、ボトルキャップ体又はボトル口部外周等に明示する請求項１乃至１８に記載のペットボトルに代表されるキャップ付きボトル型樹脂容器。
【請求項２０】
請求項１７に記載したボトル口部外周に設置されたスクリュー部はボトル口部周方向突起に連結されるが、そのスクリュー部がボトルキャップ体周側面内周に設置されているスクリュー部と係合しない箇所を持つ時、その係合しない箇所に設置されるボトル口部外周スクリュー部分は、上記係合する箇所のスクリュー部傾斜角度と一連である必要はない請求項１乃至１９に記載のペットボトルに代表されるキャップ付きボトル型樹脂容器。
【請求項２１】
ボトルキャップ体が開栓時にボトル口部外周を上昇するにあたり、ボトルキャップ体周側面内周に設置された突片等がボトル口部外周に設置されたスクリュー部を斜め上方に横断可能な箇所を必要に応じて設置する請求項１乃至２０に記載のペットボトルに代表されるキャップ付きボトル型樹脂容器。
【発明の詳細な説明】
【技術分野】
【０００１】  本発明はペットボトルに代表されるキャップ付きボトル型樹脂容器で、特にリサイクルを前提としたキャップ付きボトル型樹脂容器としての使用に適した、主にペットボトルのボトル口部外周の構造及びそれに付随するボトルキャップ体の開閉栓機能並びに構造に関する。
【背景技術】
【０００２】  従来、一般の使用に供されているペットボトルに代表されるキャップ付きボトル型樹脂容器は、ボトルキャップとその下端に複数のブリッジにより連結されたキャップ周状バンドがボトル口部に締結されており、上記各部ほかで構成されたボトルキャップほかの開栓方向への回転並びに上昇により、ボトル口部外周スクリュー部下部に設置されている周状の突起との係合をもって、キャップ周状バンドが上記ブリッジの破断により完全にボトルキャップから分離し開栓するが、このキャップ周状バンドはボトル口部外周スクリュー部下部に設置されている周状の突起下に残されるため、特にリサイクルにあたり材質の異なる異質物としてこのキャップ周状バンドを分離除去する必要がある。
【発明の開示】
【発明が解決しようとする課題】
【０００３】  この発明は、ペットボトルに代表されるキャップ付きボトル型樹脂容器が、開栓によるボトルキャップ体のボトル口部からの取り外し時に、従来のペットボトルに代表されるキャップ付きボトル型樹脂容器の持つ機能を損なうことなく、ボトル口部外周よりボトルキャップ体のすべてを分離し、しかも再閉栓が可能である開栓済表示機能を持ったペットボトルに代表されるキャップ付きボトル型樹脂容器の提供を主な目的としている。
【問題を解決するための手段】
【０００４】  この目的を解決するために、この発明によれば主にボトル口部外周スクリュー部下部の周方向には下端にフラット面を有したボトル口部周方向突起がその周上の一部を除く箇所に設けられ、このボトル口部周方向突起上端面は閉栓方向側に下るスロープ面を有すること及びボトル口部周方向突起に係る突起の全く存在しない箇所を有すること及びボトル口部周方向突起下端フラット面下部からボトル口部周方向突起の全く存在しない箇所にかけたその一部分に突部を有すること及びボトル口部周方向突起下端フラット面の一定箇所に凹部を有すること及びボトルキャップ体においては、その周側面に開栓によって破断可能な連結体を介して上下に分離可能な切れ目を有し、また、その分離可能な切れ目を有さない箇所を同周上に有しその一周線上の下部周側面はボトルキャップ体としてボトル口部外周を開閉栓機能をもって動作すること及びボトル口部外周に設置されたスクリュー部がボトル口部周方向突起へ連結されていることを特徴とする。
【発明の効果】
【０００５】  本発明によるペットボトルに代表されるキャップ付きボトル型樹脂容器は、ボトルキャップ体のすべてを開閉栓するにあたって、ボトルキャップ体の形態を保ったままボトル口部外周をほぼ螺旋状に上昇下降させることが可能であり、また再閉栓にあたっては開栓済みの表示を確実に確保でき、ボトルキャップ体は繰り返し使用することが可能であるペットボトルに代表されるキャップ付きボトル型樹脂容器であり、消費者の利便性及びリサイクル時の効率、品質に優れた効果を期待できる。
【発明を実施するための最良の形態】
【０００６】  本発明によるペットボトルに代表されるキャップ付きボトル型樹脂容器について図面番号並びに符号を付記して述べるが、従来、一般の使用に供されているボトルキャップはダンパーエビデント性を担うキャップ周状バンドをボトルキャップ下端に開栓により破断可能なブリッジを介して接合しているわけだが、本発明によれば、このキャップ周状バンドの持つ従来の機能をボトルキャップ体１に機能的に取り込むことが可能であり、本発明のボトルキャップ体１並びにボトル口部外周１２の構造により、ボトルキャンプ体１はその開閉栓の際に従来のキャップ周状バンドが担ったダンパーエビデント性を損なうことなくそのボトルキャップ体１の形状を持ってボトル口部外周１２からの開栓及びボトル口部外周１２への閉栓動作を実施することが出来る、新しい形態のボトルキャップ体１並びにそれと一連をなすボトル口部外周１２に関する発明である。【０００７】  ボトルキャップ体１の構造については、ボトルキャップ体周側面２の主に下方部に開栓により破断可能な連結体（以下ブリッジという）を介してその周側面を上下に分離可能な切れ目６をボトルキャップ体周側面の一周線上の一定箇所に設置するとともに、その同周上の他の一定箇所には上記切れ目を有さない箇所５を同時に設置し、開閉栓時においてボトルキャップ体としての形態を保つ。【０００８】  ボトルキャップ体周側面２を上下に分離可能な切れ目６は、未開栓の状態であるボトル口部へのボトルキャップ体１締結時においてはブリッジにより連結されているが、開栓によるそのブリッジの破断によりボトルキャップ体周側面２は上下に分離し、また、その同周上でボトルキャップ体周側面を上下に分離可能な切れ目を有さない箇所５についてはボトルキャップ体１の開栓方向への回転に伴い、ボトル口部外周１２をボトルキャップ体１として通常に上昇する。【０００９】  この限りにおいて、ボトルキャップ体周側面の周上で、その周側面に分離可能な切れ目６を有する箇所から下方のボトルキャップ体周側面については、従来のキャップ周状バンドの形態を使用することも可能であり、また、分離可能な切れ目を有さない箇所５についても同様に、従来の上記キャップ周状バンドをブリッジを介さずに直結することで使用することが可能であるが、本発明においては分離可能な切れ目６を有する箇所はボトルキャップ体周側面であり、その周側面を上下に分離する切れ目を有する一周線下方のボトルキャップ体周側面３はボトルキャップ体１としての形態及び機能を開閉栓にあたり維持するものでなければならず、また、上記切れ目を有する箇所を含む一周線は直線である必要はなく、さらにボトルキャップ体周側面に設置されることにより、従来よりもその周側面上において、比較的上方に設置することも可能である。【００１０】  次に、ボトルキャップ体周側面２を開栓時に上下に分離可能な切れ目６及び同周上の分離可能な切れ目を有さない箇所５より下方のボトルキャップ体周側面内周にはその内周の大部分に突片等９が設置されており、この突片等９は後述するボトル口部周方向突起下端フラット面１７と係合し、ボトルキャップ体周側面２に設置された分離可能な切れ目６を開栓の際にブリッジを破断することによ��上下に分雕するが、同周上でボトルキャップ体周側面２に分離可能な切れ目を有さない箇所５下方のボトルキャップ体周側面内周は上記係合を必要としない箇所であり、必ずしも上記突片等９を設置する必要はない。【００１１】  また、ボトルキャップ体周側面２でその周側面を上下に分離可能な切れ目６を有する箇所の閉栓方向側最終端より、わずかに開栓方向側に向かう分離可能な切れ目６を有する箇所下方のボトルキャップ体周側面については、開栓によるブリッジの破断から最終的にボトル口部周方向突起下端フラット面１７より直接ボトル口部周方向突起上方に抜け出る箇所２３に相当するがボトルキャップ体の開栓に支障をきたすことはない。【００１２】  この限りにおいても、上記分離可能な切れ目６を有する箇所及び同周上で分離可能な切れ目を有さない筒所５の下方ボトルキャップ体周側面の内周に設置される突片等として従来のキャップ周状バンド内周面に設置された突片等を使用した形態で機能させることも可能であるが、本発明における上記突片等の設置箇所は上記切れ目を有する箇所及び同周上の切れ目を有しない箇所下方のボトルキャップ体周側面内周であり、ボトルキャップ体の一部分として開閉栓にあたりボトル口部外周を上昇及び下降する。【００１３】  上記に関連して、ボトルキャップ体周側面の内周に設置される突片等９は、ボトルキャップ体の一部分としてその開閉栓時には、ボトル口部外周に設置されたスクリュー部を上昇及び下降するが、その突片等の形状はスクリュー谷部と係合しやすい形状を持つ突片等（図７（ｃ）２６）をその内周の少なくとも一部分には設置することが望ましい。【００１４】  次にボトル口部外周１２の構造であるが、主に、ボトルキャップ体１を開栓するにあたり、ボトルキャップ体周側面内周に設置された突片等９と係合する下端にフラット面を有するボトル口部周方向突起１３ほかを周の一部に設置する。【００１５】  また、本発明においては、ボトルキャップ体１周側面の内周に設置された突片等９が開栓時にボトル口部周方向突起下端フラット面１７との係合をほぼ生じない箇所がボトル口部周方向突起１３と同周上の一定箇所に設置されており、その構造の一つには、ボトル口部周方向突起１３の突起上端面の一定箇所に閉栓方向側に下るスロープ面１８を形成し、そのスロープ面１８はボトル口部周方向突起下端フラット面１７に到達し、そのスロープ面１８がそのフラット面１７に到達した箇所は、ボトル口部周方向突起の全く存在しない箇所１４を形成し、ボトルキャップ体の開栓時にはボトルキャップ体周側面内周に設置された突片等９はブリッジ破断後に上記突起の全く存在しない箇所１４から上記スロープ面１８を開栓方向斜め上方に順次スライドする。【００１６】  なお、上記ボトル口部周方向突起の全く存在しない箇所１４の閉栓方向側ボトル口部周方向突起側端面２２の形状については、ボトル口部周方向突起下端フラット面１７から開栓方向斜め上方向に上昇するスロープを形成し、また、その開栓方向についてもボトル口部外周基礎面２０に到達するスロープを形成する。【００１７】  また、ボトルキャップ体周側面２の内周に設置された突片等９が開栓時にボトル口部周方向突起下端フラット面１７との係合をほぼ生じないその構造の一つには、上端にスロープ面を形成するボトル口部周方向突起下端フラット面１７下部から、ボトル口部周方向突起の全く存在しない箇所１４にかけて突部１５を設置し、その突部１５の形状についてはボトル口部周方向突起下端フラット面１７の高さよりボトル口部外周基礎面２０に向かって下降するが、その最下端には微小面２１が形成され、また、その突部１５の周方向両端に至る各部分はボトル口部外周基礎面２０に向けてスロープを形成する。【００１８】  なお、上記突部１５においてボトル口部周方向突起の全く存在しない箇所１４にかかるその周方向先端部の上端面２７については、ボトル口部周方向突起上端面１９に形成された閉栓方向側に下るスロープ面１８の傾斜角以上の下方傾斜角を持たせ、ボトルキャップ体周側面内周に設置された突片等９は開栓方向斜め上方に上記突部の上端並びに側部を順次スライドしていく。【００１９】  ところでボトルキャップ体１は開栓前のボトル口部への締結時より、開栓によるほぼブリッジ破断直前（図５（ａ））に至るまでの開栓初期の段階において、ボトルキャップ体周側面内周に設置された突片等９は、ボトル口部周方向突起下端フラット面１７との係合を強めつつ開栓方向に回転し、ボトル口部周方向突起の全く存在しない箇所１４並びに上記突部１５を開栓方向にスライドしながらわずかに上昇し、ボトル口部周方向突起下端フラット面１７との係合を逃れようとするが、ここで、ボトル口部周方向突起下端フラット面１７に設置した突部１５のボトルキャップ体開栓方向側最終箇所直近のボトル口部周方向突起下端フラット面１７に少なくともブリッジ破断に至るまでのボトルキャップ体１の上記上昇幅分の深さをもった凹部１６を設けることにより、ボトルキャップ体周側面内周に設置された突片等９は、再びボトル口部周方向突起下端のフラット面１７と係合しブリッジの破断に至るその係合を確実に保持できる。【００２０】  なお、上記凹部１６の形状は、基本的にボトルキャップ体周側面内周に設置された突片等９の開閉栓に伴う移行を妨げない形状（図３（ｃ）１６）とすることが望ましい。【００２１】  次に、ボトルキャップ体１のボトル口部への締結時におけるボトルキャップ体周側面に分離可能な切れ目を有さない箇所５のボトル口部外周１２に対する設定位置であるが、ボトルキャップ体１は開栓方向への回転によるブリッジ破断直前（図５（ａ））に至るまでの開栓初期の時点においてボトルキャップ体周側面内周に設置された突片等９とボトル口部周方向突起下端フラット面１７との係合によるブリッジの破断を発生させることはなくこの開栓初期の段階においてはボトルキャップ体周側面内周に設置された突片等９はボトル口部周方向突起下端フラット面１７との係合を強めつつ開栓方向に移行する。【００２２】  そこで、ボトルキャップ体１のボトル口部への締結時におけるボトルキャップ体周側面２に分離可能な切れ目を有さない箇所５のボトル口部外周１２に対する設定位置であるがほぼボトル口部周方向突起の全く存在しない箇所１４より、閉栓方向側に上記開栓初期からブリッジの破断が生じるまでのボトルキャップ体１の回転域の長さ分だけボトル口部外周１２を閉栓方向側に戻った箇��に設定（図３（ｂ））することが望ましい。【００２３】  次に、ボトル口部外周１２に設置されるスクリュー部２５については、ボトル口部外周上端部よりボトル口部外周１２を螺旋状に下降する形態を備えるが、そのスクリュー部はボトル口部周方向突起１３に接続され、ボトルキャップ体１の開栓にあたっては、主にボトルキャップ体周側面に設置された分離可能な切れ目６が上下に分離後、上記スクリュー部２５をボトルキャップ体１は上昇する。【００２４】  また、ボトル口部外周１２に設置されたスクリュー部２５について、ボトル口部周方向突起１３に接続される箇所付近が、ボトルキャップ体内周面に設置されているスクリュー部と係合しない部分をもつ時、そのスクリュー部分はボトルキャップ体１の開栓によるボトル口部外周１２上のその上昇幅を可能な限度において最大とする傾斜角度とすることが望ましい。【００２５】  また、上記ボトル口部外周１２に設置されたスクリュー部２５は、ボトル口部周方向突起１３に接続されるが、ボトルキャップ体内周面に設置されているスクリュー部と係合するそのスクリュー部２５のほぼ最下端をボトル口部周方向突起１３に接続することも可能であり、その時、ボトル口部の全高長を短くすることもまた可能となる。【００２６】  また、ボトルキャップ体１の開栓において、その周側面に分離可能な切れ目６を有する箇所から下方のボトルキャップ体周側面のボトル口部外周１２上における上昇を促すにあたり、ボトル口部外周に設置されたスクリュー部２５の一部に、ボトルキャップ体周側面内周に設置された突片等９が上記スクリュー部２５を斜め上方に横断可能な箇所２４の設置も考慮してもよい。【００２７】  次に、再閉栓についてであるが、開栓によるブリッジ破断後においても、ボトルキャップ体周側面２の周上を上下に分離可能な切れ目６及び同周上の分離可能な切れ目を有さない箇所５の上下ボトルキャップ体周側面２はボトルキャップ体１の形態を保持し、再閉栓から再閉栓完了に至るにあたっては、ボトルキャップ体周側面内周に設置された突片等９が、主に、ボトル口部周方向突起下端フラット面１７からボトル口部周方向突起の全く存在しない箇所１４にかけて設置された突部１５と接触し、ボトルキャップ体１の閉栓方向への回転に伴いボトル口部外周１２下方への力を受け、上記分離可能な切れ目６下方のボトルキャップ体周側面３はボトル口部下方に下がり、ダンパーエビデント性を確実に確保できる。【００２８】  最後に、ボトルキャップ体周側面内周に設置される突片等９については、従来のキャップ周状バンド内周面に設置された主にラチェット片等の突片又はボトル口部外周に設置された主にスクリュー谷部をボトルキャップ体の上昇及び下降に適した形状に改良されたそれら突片等によっても対応は可能である。
【他の実施形態】
【００２９】  図８（ａ）のボトルキャップ体閉栓時正面展開図は、ボトル口部外周スクリュー部２５とボトル口部周方向突起１３との連結部分を、ボトル口部外周スクリュー部バイパス部分２４を経由してボトル口部周方向突起にもう一箇所の連結箇所を設置したものである。
【００３０】  図８（ｂ）のボトルキャップ体閉栓時正面展開図は、ボトル口部周方向突起上端面１９に形成されたスロープ面１８上部を、ボトル口部外周スクリュー部バイパス部分２４に直結した形態である。
【００３１】  図８（ｃ）のボトルキャップ体閉栓時正面展開図は、図８（ｂ）ほかに比較して、ボトル口部周方向突起下端フラット面１７を、ボトル口部外周スクリュー部２５下端に近づけるようにボトル口部外周上の比較的上部に設置し、ボトルキャップ体周側面２の縦幅を短縮し、さらに、ボトルキャップ体周側面内周突片等設置箇所４より下端のボトルキャップ体周側面の縦幅を広くした形態をもつものである。
【００３２】  図９は主にボトルキャップ体周側面の内周に設置される突片等の概略見取図であり、ボトルキャップ体の一部分としてその開閉栓時には、ボトル口部外周に設置されたスクリュー部を上昇及び下降するが、図９における突片等２６の形状はほぼ半楕円形であり、スクリュー谷部と係合しない場合であっても同周上の他の突片等をスクリュー谷部に引き込む特性をもつ。
【図面の簡単な説明】
【００３３】
【図１】  ボトルキャップ体正面図ほかである。  （ａ）ボトルキャップ体正面図  （ｂ）ボトルキャップ体正面展開図
【図２】  ボトル口部外周正面図ほかである。  （ａ）ボトル口部外周正面図  （ｂ）ボトル口部外周部分断面図  （ｃ）ボトル口部外周正面展開図
【図３】  ボトルキャップ体閉栓時正面図ほかである。  （ａ）ボトルキャップ体閉栓時正面図  （ｂ）ボトルキャップ体閉栓時正面展開図  （ｃ）ボトルキャップ体閉栓時正面展開部分図  （ｄ）部分断面図
【図４】  ボトル口部周方向突起周辺部分図ほかである。  （ａ）ボトル口部周方向突起閉栓方向側部分図  （ｂ）ボトル口部周方向突起開栓方向側部分図  （ｃ）ボトル口部周方向突起下端フラット面にかかる突部部分図  （ｄ）スクリュー部バイパス部分図  （ｄ１）スクリュー部バイパス閉栓方向側部分図  （ｄ２）スクリュー部バイパス開栓方向側部分図
【図５】  ボトルキャップ体開栓時形態展開図である。  （ａ）ボトルキャップ体２分の１周時開栓展開図  （ｂ）ボトルキャップ体４分の３周時開栓展開図  （ｃ）ボトルキャップ体１周時開栓展開図  （ｄ）ボトルキャップ体１と４分の１周時開栓展開図  （ｅ）ボトルキャップ体１と２分の１周時開栓展開図  （ｆ）ボトルキャップ体２周時開栓展開図
【図６】  ボトルキャップ体再閉栓時形態展開図である。  （ａ）ボトルキャップ体再閉栓２分の１周前展開図  （ｂ）ボトルキャップ体再閉栓４分の１周前展開図  （ｃ）ボトルキャップ体再閉栓完了時展開図
【図７】  ボトルキャップ体開栓時正面図ほかである。  （ａ）ボトルキャップ体開栓時正面図  （ｂ）部分断面図  （ｃ）ボトルキャップ体内周面ほか概略見取図
【図８】  ボトルキャップ体閉栓時正面展開図（他の実施形態）である。  （ａ）他の実施形態１  （ｂ）他の実施形態２  （ｃ）他の実施形態３
【図９】  ボトルキャップ体内周面ほか概略見取図（他の実施形態）である。
【符号の説明】
【００３４】  １  ボトルキャップ体
２  ボトルキャップ体周側面
３  切れ目を有する一周線下方のボトルキャップ体周側面
４  ボトルキャップ体内周面突片等設置箇所
５  ボトルキャップ体周側面を上下に分離可能な切れ目を有さない箇所
６  ボトルキャップ体周側面を破断可能な連結体を介して上下に分離可能な切れ目
７  ボトルキャップ体周側面上の切れ目下端
８  ボトルキャップ体周側面上の切れ目上端
９  ボトルキャップ体周側面内周に設置の突片等
１０  連結体破断後のボトルキャップ体周側面空間部分
１１  開栓による連結体破断済箇所
１２  ボトル口部外周
１３  ボトル口部周方向突起
１４  ボトル口部周方向突起の全く存在しない箇所
１５  ボトル口部周方向突起下端フラット面にかかる突部
１６  ボトル口部周方向突起下端面凹部
１７  ボトル口部周方向突起下端フラット面
１８  ボトル口部周方向突起上端面に形成された閉栓方向側に下るスロープ面
１９  ボトル口部周方向突起上端面
２０  ボトル口部外周基礎面
２１  ボトル口部周方向突起下端フラット面ほかにかかる突部下部面
２２  ボトルキャップ体閉栓方向側ボトル口部周方向突起側端面
２３  ボトル口部周方向突起上方に直接突片が抜ける箇所
２４  ボトル口部外周スクリュー部バイパス部分
２５  ボトル口部外周スクリュー部
２６  主にスクリュー部と係合を図るボトルキャップ体周側面内周に設置された突片等
２７  突部周方向先端部上端面
【図１】
2005247425.tif 000003
【図２】
2005247425.tif 000004
2005247425.tif 000005
【図３】
2005247425.tif 000006
2005247425.tif 000007
【図４】
2005247425.tif 000008
2005247425.tif 000009
【図５】
2005247425.tif 000010
2005247425.tif 000011
【図６】
2005247425.tif 000012
【図７】
2005247425.tif 000013
【図８】
2005247425.tif 000014
【図９】
2005247425.tif 000015
【手続補正書】
【提出日】平成16年6月17日(2004.6.17)
【手続補正１】
【補正対象書類名】図面
【補正対象項目名】全図
【補正方法】変更
【補正の内容】
【図１】
2005247425.tif 000016
【図２】
2005247425.tif 000017
【図３】
2005247425.tif 000018
【図４】
2005247425.tif 000019
【図５】
2005247425.tif 000020
【図６】
2005247425.tif 000021
【図７】
2005247425.tif 000022
【図８】
2005247425.tif 000023
【図９】
2005247425.tif 000024
【図１０】
2005247425.tif 000025
【図１１】
2005247425.tif 000026
【図１２】
2005247425.tif 000027
【図１３】
2005247425.tif 000028
【手続補正書】
【提出日】平成16年7月6日(2004.7.6)
【手続補正１】
【補正対象書類名】明細書
【補正対象項目名】００３３
【補正方法】変更
【補正の内容】
【書類名】明細書
【図面の簡単な説明】
【００３３】
【図１】  ボトルキャップ体正面図ほかである。  （ａ）ボトルキャップ体正面図  （ｂ）ボトルキャップ体正面展開図
【図２】  ボトル口部外周正面図である。
【図３】  ボトル口部外周部分断面図である。
【図４】  ボトル口部外周正面展開図である。
【図５】  ボトルキャップ体閉栓時正面図である。
【図６】  ボトルキャップ体閉栓時正面展開図ほかである。  （ａ）ボトルキャップ体閉栓時正面展開図  （ｂ）ボトルキャップ体閉栓時正面展開部分図  （ｃ）部分断面図
【図７】  ボトル口部周方向突起周辺部分図ほかである。  （ａ）ボトル口部周方向突起閉栓方向側部分図  （ｂ）ボトル口部周方向突起開栓方向側部分図  （ｃ）ボトル口部周方向突起下端フラット面にかかる突部部分図  （ｄ）スクリュー部バイパス部分図  （ｄ１）スクリュー部バイパス閉栓方向側部分図  （ｄ２）スクリュー部バイパス開栓方向側部分図
【図８】  ボトルキャップ体２分の１周時から１周時開栓時形態展開図である。  （ａ）ボトルキャップ体２分の１周時開栓展開図  （ｂ）ボトルキャップ体４分の３周時開栓展開図  （ｃ）ボトルキャップ体１周時開栓展開図
【図９】  ボトルキャップ体１と４分の１周時から２周時開栓時形態展開図である。  （ａ）ボトルキャップ体１と４分の１周時開栓展開図  （ｂ）ボトルキャップ体１と２分の１周時開栓展開図  （ｃ）ボトルキャップ体２周時開栓展開図
【図１０】  ボトルキャップ体再閉栓時形態展開図である。  （ａ）ボトルキャップ体再閉栓２分の１周前展開図  （ｂ）ボトルキャップ体再閉栓４分の１周前展開図  （ｃ）ボトルキャップ体再閉栓完了時展開図
【図１１】  ボトルキャップ体開栓時正面図ほかである。  （ａ）ボトルキャップ体開栓時正面図  （ｂ）部分断面図  （ｃ）ボトルキャップ体内周面ほか概略見取図
【図１２】  ボトルキャップ体閉栓時正面展開図（他の実施形態）である。  （ａ）他の実施形態１  （ｂ）他の実施形態２  （ｃ）他の実施形態３
【図１３】  ボトルキャップ体内周面ほか概略見取図（他の実施形態）である。
【手続補正書】
【提出日】平成16年7月31日(2004.7.31)
【手続補正１】
【補正対象書類名】特許請求の範囲
【補正対象項目名】全文
【補正方法】変更
【補正の内容】
【特許請求の範囲】
【請求項１】
未開栓の状態からボトルキャップ体が開栓により開栓方向に回転する時、ボトルキャップ体周側面の内周に配置されている突片等とボトル口部外周スクリュー部下部に設けられている下端にフラット面を有するボトル口部周方向突起との係合によりボトルキャップ体周側面の一周線上の一定箇所に設置されているその周側面を上下に分離する切れ目を接合している破断可能な連結体が破断する一方、下端にフラット面を有しているボトル口部周方向突起と同周上のボトル口部外周には、上記係合を消滅させる主にボトル口部周方向突起の全く存在しない部分及びその突起下端の一部分にボトル口部下方及びボトル口部周方向に向け、上記係合を消滅させる形状をもつ突部を有し、さらに、ボトル口部外周に設置されているスクリュー部は、上記ボトル口部周方向突起へ連結されており、開栓による上記連結体破断後ボトルキャップ体周側面内周に設置されている突片等は上記突起下端フラット面との係合から開放され、その後にほぼ螺旋状にボトル口部外周に設置されている連結箇所を含めたスクリュー部を回転しながら上昇しボトル口部より外れるが、また、再閉栓時には開栓によりボトル口部より外れたボトルキャップ体またはボトルキャップで閉栓が行われ、再閉栓完了直前及び完了時には、容易に開栓の表示が明確となる以上のような特徴を主に備えたペットボトルに代表されるキャップ付きボトル型樹脂容器。
【請求項２】
ボトルキャップ体周側面の一周線上には、その周側面を上下に分離可能な切れ目がその周上の一定箇所に設置されるが、その一周線上を含めた下方のボトルキャップ体周側面も、ボトルキャップ体の開閉栓においてボトルキャップ体としてボトル口部外周を開閉栓機能をもって動作する請求項１に記載のペットボトルに代表されるキャップ付きボトル型樹脂容器。
【請求項３】
請求項２に記載したボトルキャップ体周側面を上下に分離可能な切れ目は、ボトルキャップ体開栓の際に、その切れ目に作用する力により破断可能な連結体で接合されているが、その連結体についても同様に開閉栓機能をもつボトルキャップ体周側面の一周線上の一定箇所に設置されるものである請求項１乃至２に記載のペットボトルに代表されるキャップ付きボトル型樹脂容器。
【請求項４】
ボトルキャップ体としてボトル口部外周を開閉栓機能をもって動作する請求項２に記載したボトルキャップ体周側面を上下に分離可能な切れ目を有する一周線上において、他の一定箇所をその周線上に有するとき、上記他の一定箇所はその周側面を上下に分離可能な切れ目を有さない請求項１乃至３に記載のペットボトルに代表されるキャップ付きボトル型樹脂容器。
【請求項５】
請求項２乃至４に記載したボトルキャップ体周側面の一周線上の下方のボトルキャップ体周側面内周には突片等が周状に設置されるが、この突片等についても同様にボトルキャップ体としてボトル口部外周を開閉栓機能をもって動作し、開栓の際には主に請求項３に記載の連結体の破断に係る請求項１乃至４に記載のペットボトルに代表されるキャップ付きボトル型樹脂容器。
【請求項６】
請求項５に記載したとおりボトルキャップ体周側面内周の一周線上の下方のボトルキャップ体周側面内周には突片等が設置され、請求項３に記載の連結体の破断に主に係るほか、その突片等はボトルキャップ体の開閉栓時に、ボトル口部外周スクリュー部ほかをボトルキャップ体周側面内周に設置された突片等全体が上昇及び下降するに適した形状を少なくともその一部分に持つ請求項１乃至５に記載のペットボトルに代表されるキャップ付きボトル型樹脂容器。
【請求項７】
ボトル口部外周スクリュー部下部の周方向には下端にフラット面を有したボトル口部周方向突起がその周上の一部を除く箇所に設けられ、その下端のフラット面はボトルキャップ体の開栓時に請求項５に記載の突片等と係合する請求項１乃至６に記載のペットボトルに代表されるキャップ付きボトル型樹脂容器。
【請求項８】
ボトル口部周方向突起の突起上端面の一定箇所には閉栓方向側に下るスロープ面を設置する請求項１乃至７に記載のペットボトルに代表されるキャップ付きボトル型樹脂容器。
【請求項９】
請求項７に記載したボトル口部外周スクリュー部下部の周方向に設置された下端にフラット面を有しているボトル口部周方向突起のほかにその同周上には、請求項５に記載の突片等との係合が主にボトルキャップ体の開栓時にほぼ生じない箇所を設置する請求項１乃至８に記載のペットボトルに代表されるキャップ付きボトル型樹脂容器
【請求項１０】
請求項９に記載した突片等との係合が主にボトルキャップ体の開栓時にほぼ生じない箇所として、一つにはボトル口部周方向突起の突起上端面の一定箇所に請求項８に記載の閉栓方向側に下るスロープ面が設置され、そのスロープ面がボトル口部周方向突起下端フラット面に到達する箇所付近には上記突起は全く存在しない請求項１乃至９に記載のペットボトルに代表されるキャップ付きボトル型樹脂容器。
【請求項１１】
請求項１０に記載した突起が全く存在しない箇所付近の開栓方向及び閉栓方向側ボトル口部周方向突起側端面の形状については、ボトルキャップ体の開閉栓にあたり、主に請求項５に記載した突片等が、上記側端面を上昇及び下降するに適した形状とする請求項１乃至１０に記載のペットボトルに代表されるキャップ付きボトル型樹脂容器。
【請求項１２】
請求項９に記載した突片等との係合が主にボトルキャップ体の開栓時にほぼ生じない箇所として、一つには主に請求項８に記載した上端にスロープ面を形成するボトル口部周方向突起下端フラット面から請求項１０に記載したボトル口部周方向突起の全く存在しない箇所にかけたボトル口部周方向突起下端フラット面に、そのフラット面のほぼ高さからボトル口部下方及びボトル口部周方向に向けた突部を形成する請求項１乃至１１に記載のペットボトルに代表されるキャップ付きボトル型樹脂容器。
【請求項１３】
請求項１２に記載した突部は、請求項１０に記載したボトル口部周方向突起の全く存在しない箇所にかかるとき、その周方向先端部分の上端面は閉栓方向に下方傾斜角を持たせる請求項１乃至１２に記載のペットボトルに代表されるキャップ付きボトル型樹脂容器。
【請求項１４】
請求項９に記載した突片等との係合が主にボトルキャップ体の開栓時にほぼ生じない箇所の開栓方向側最終箇所付近のボトル口部周方向突起下端フラット面には、ボトルキャップ体の開栓開始から請求項３に記載の連結体の破断に至るまでのボトルキャップ体の上昇幅分の深さを少なくとももった凹部を設置する請求項１乃至１３に記載のペットボトルに代表されるキャップ付きボトル型樹脂容器。
【請求項１５】
請求項１４に記載の凹部の形状はボトルキャップ体周側面内周に設置された突片等のボトルキャップ体の開閉栓に伴う移行を妨げない形状とする請求項１乃至１４に記載のペットボトルに代表されるキャップ付きボトル型樹脂容器。
【請求項１６】
請求項４に記載したボトルキャップ体の周側面を上下に分離可能な切れ目を有さない箇所は、開栓にあたって請求項３に記載の連結体の破断に至る直前には、請求項９に記載のボトル口部周方向突起と突片等との係合がほぼ生じない箇所付近に位置する請求項１乃至１５に記載のペットボトルに代表されるキャップ付きボトル型樹脂容器
【請求項１７】
ボトル口部外周はスクリュー部が螺旋状に設置されているがそのスクリュー部はボトル口部周方向突起に連結され、そのスクリュー谷部に相当する部分は請求項９に記載の突片等との係合が主にボトルキャップ体の開栓時にほぼ生じない箇所に連なる請求項１乃至１６に記載のペットボトルに代表されるキャップ付きボトル型樹脂容器。
【請求項１８】
再閉栓においては、請求項１７に記載したスクリュー部をボトルキャップ体が回転を伴ってボトル口部外周を降下するが、再閉栓終了にあたりボトルキャップ体周側面内周に設置された突片等は主にボトル口部周方向突起下端フラット面並びに請求項１２に記載した突部と接触し、上下に分離されているボトルキャップ体周側面の下方部分はボトル口部下方に下がり、ダンパーエビデント性を確実に確保できる請求項１乃至１７に記載のペットボトルに代表されるキャップ付きボトル型樹脂容器。
【請求項１９】
請求項１８に記載した上下に分離されているボトルキャップ体周側面の下方部分の最も下がる箇所を未開栓並びに開栓確認箇所として、ボトルキャップ体又はボトル口部外周等に明示する請求項１乃至１８に記載のペットボトルに代表されるキャップ付きボトル型樹脂容器。
【請求項２０】
請求項１７に記載したボトル口部外周に設置されたスクリュー部はボトル口部周方向突起に連結されるが、そのスクリュー部がボトルキャップ体周側面内周に設置されているスクリュー部と係合しない箇所を持つ時、その係合しない箇所に設置されるボトル口部外周スクリュー部分は、上記係合する箇所のスクリュー部傾斜角度と一連である必要はない請求項１乃至１９に記載のペットボトルに代表されるキャップ付きボトル型樹脂容器。
【請求項２１】
ボトルキャップ体が開栓時にボトル口部外周を上昇するにあたり、ボトルキャップ体周側面内周に設置された突片等がボトル口部外周に設置されたスクリュー部を斜め上方に横断可能な箇所を必要に応じて設置する請求項１乃至２０に記載のペットボトルに代表されるキャップ付きボトル型樹脂容器。
【請求項２２】
請求項７乃至１６に記載したボトル口部外周の形状及び形態は、請求項３に記載した破断可能な連結体による接合によりボトルキャップ体周側面の一周線上にわたって分離可能な切れ目が設置される場合においても、その新しい形状及び形態をもって本発明の目的を達成できるペットボトルに代表されるキャップ付きボトル型樹脂容器。
【手続補正２】
【補正対象書類名】明細書
【補正対象項目名】全文
【補正方法】変更
【補正の内容】
【発明の詳細な説明】
【技術分野】
【０００１】  本発明はペットボトルに代表されるキャップ付きボトル型樹脂容器で、特にリサイクルを前提としたキャップ付きボトル型樹脂容器としての使用に適した、主にペットボトルのボトル口部外周の構造及びそれに付随するボトルキャップ体の開閉栓機能並びに構造に関する。
【背景技術】
【０００２】  従来、一般の使用に供されているペットボトルに代表されるキャップ付きボトル型樹脂容器は、ボトルキャップとその下端に複数のブリッジにより連結されたキャップ周状バンドがボトル口部に締結されており、上記各部ほかで構成されたボトルキャップほかの開栓方向への回転並びに上昇により、ボトル口部外周スクリュー部下部に設置されている周状の突起との係合をもって、キャップ周状バンドが上記ブリッジの破断により完全にボトルキャップから分離し開栓するが、このキャップ周状バンドはボトル口部外周スクリュー部下部に設置されている周状の突起下に残されるため、特にリサイクルにあたり材質の異なる異質物としてこのキャップ周状バンドを分離除去する必要がある。
【発明の開示】
【発明が解決しようとする課題】
【０００３】  この発明は、ペットボトルに代表されるキャップ付きボトル型樹脂容器が、開栓によるボトルキャップ体のボトル口部からの取り外し時に、従来のペットボトルに代表されるキャップ付きボトル型樹脂容器の持つ機能を損なうことなく、ボトル口部外周よりボトルキャップ体のすべてを分離し、しかも再閉栓が可能である開栓済表示機能を持ったペットボトルに代表されるキャップ付きボトル型樹脂容器の提供を主な目的としている。
【問題を解決するための手段】
【０００４】  この目的を解決するために、この発明によれば主にボトル口部外周スクリュー部下部の周方向には下端にフラット面を有したボトル口部周方向突起がその周上の一部を除く箇所に設けられ、このボトル口部周方向突起上端面は閉栓方向側に下るスロープ面を有すること及びボトル口部周方向突起に係る突起の全く存在しない箇所を有すること及び主にボトル口部周方向突起下端フラット面からボトル口部周方向突起に係る突起の全く存在しない箇所にかけてその下部に突部を有すること及びボトル口部周方向突起下端フラット面の一定箇所に凹部を有すること及びボトルキャップ体においては、その周側面に開栓によって破断可能な連結体を介して上下に分離可能な切れ目をボトルキャップ体周側面の一周線上の一定箇所に有し、その一周線上の下部周側面はボトルキャップ体としてボトル口部外周を開閉栓機能をもって動作すること及びボトル口部外周に設置されたスクリュー部がボトル口部周方向突起へ連結されていることを主な特徴とする。
【発明の効果】
【０００５】  本発明によるペットボトルに代表されるキャップ付きボトル型樹脂容器は、ボトルキャップ体のすべてを開閉栓するにあたって、主にボトルキャップ体の形態を保ったままボトル口部外周をほぼ螺旋状に上昇下降させることが可能であり、また再閉栓にあたっては開栓済みの表示を確実に確保でき、ボトルキャップ体は繰り返し使用することが可能であるペットボトルに代表されるキャップ付きボトル型樹脂容器であり、消費者の利便性及びリサイクル時の効率、品質に優れた効果を期待できる。
【発明を実施するための最良の形態】
【０００６】  本発明によるペットボトルに代表されるキャップ付きボトル型樹脂容器について図面番号並びに符号を付記して述べるが、従来、一般の使用に供されているボトルキャップはダンパーエビデント性を担うキャップ周状バンドをボトルキャップ下端に開栓により破断可能な連結体を介して接合しているわけだが、本発明によれば、このキャップ周状バンドの持つ従来の機能をボトルキャップ体１に機能的に取り込むことが可能であり、本発明のボトルキャップ体１並びにボトル口部外周１２の構造により、ボトルキャップ体１はその開閉栓の際に従来のキャップ周状バンドが担ったダンパーエビデント性を損なうことなくそのボトルキャップ体１の形状を持ってボトル口部外周１２からの開栓及びボトル口部外周１２への閉栓動作を実施することが出来る、新しい形状及び形態のボトル口部外周１２並びにそれと一連をなすボトルキャップ体１に関する発明である。【０００７】  ボトルキャップ体１の構造については、ボトルキャップ体周側面２の主に下方部に開栓により破断可能な連結体（以下ブリッジという）を介してその周側面を上下に分離可能な切れ目６をボトルキャップ体周側面の一周線上の一定箇所に設置するとともに、その同周上の他の一定箇所には上記切れ目を有さない箇所５を同時に設置し、開閉栓時においてボトルキャップ体としての形状形態を保つ。【０００８】  ボトルキャップ体周側面２を上下に分離可能な切れ目６は、未開栓の状態であるボトル口部へのボトルキャップ体１締結時においてはブリッジにより連結されているが、開栓によるそのブリッジの破断によりボトルキャップ体周側面２は上下に分離し、また、その同周上でボトルキャップ体周側面を上下に分離可能な切れ目を有さない箇所５についてはボトルキャップ体１の開栓方向への回転に伴い、ボトル口部外周１２をボトルキャップ体１として通常に上昇する。【０００９】  この限りにおいて、ボトルキャップ体周側面の周上で、その周側面に分離可能な切れ目６を有する箇所から下方のボトルキャップ体周側面については、従来のキャップ周状バンドの形状を使用することも可能であり、また、分離可能な切れ目を有さない箇所５についても同様に、従来の上記キャップ周状バンドをブリッジを介さずに直結することで使用することが可能であるが、本発明においては分離可能な切れ目６を有する箇所はボトルキャップ体周側面であり、その周側面を上下に分離する切れ目を有する一周線下方のボトルキャップ体周側面３はボトルキャップ体１としての形状及び機能を開閉栓にあたり維持するものであり、また、上記切れ目を有する箇所を含む一周線は直線である必要はなく、さらにボトルキャップ体周側面に設置されることにより、従来よりもその周側面上において、比較的上方に設置することも可能である。【００１０】  次に、ボトルキャップ体周側面２を開栓時に上下に分離可能な切れ目６及び同周上の分離可能な切れ目を有さない箇所５より下方のボトルキャップ体周側面内周にはその内周の大部分に突片等９が設置されており、この突片等９は後述するボトル口部周方向突起下端フラット面１７と係合し、ボトルキャップ体周側面２に設置された分離可能な切れ目６を開栓の際にブリッジを破断することによ��上下に分離するが、同周上でボトルキャップ体周側面２に分離可能な切れ目を有さない箇所５下方のボトルキャップ体周側面内周は上記係合を必要としない箇所であり、必ずしも上記突片等９を設置する必要はない。【００１１】  また、ボトルキャップ体周側面２でその周側面を上下に分離可能な切れ目６を有する箇所の閉栓方向側最終端より、わずかに開栓方向側に向かう分離可能な切れ目６を有する箇所下方のボトルキャップ体周側面については、開栓によるブリッジの破断から最終的にボトル口部周方向突起下端フラット面１７より直接ボトル口部周方向突起上方に抜ける箇所２３に相当するがボトルキャップ体の開栓に支障をきたすことはない。【００１２】  この限りにおいても、上記分離可能な切れ目６を有する箇所及び同周上で分離可能な切れ目を有さない箇所５の下方ボトルキャップ体周側面の内周に設置される突片等として従来のキャップ周状バンド内周面に設置された突片等を使用した形状で機能させることも可能であるが、本発明における上記突片等の設置箇所は上記切れ目を有する箇所及び同周上の切れ目を有しない箇所下方のボトルキャップ体周側面内周であり、ボトルキャップ体の一部分として開閉栓にあたりボトル口部外周を上昇及び下降する。【００１３】  上記に関連して、ボトルキャップ体周側面の内周に設置される突片等９は、ボトルキャップ体の一部分としてその開閉栓時には、ボトル口部外周に設置されたスクリュー部を上昇及び下降するが、その突片等の形状はスクリュー谷部と係合しやすい形状を持つ突片等（図１１（ｃ）２６）をその内周の少なくとも一部分には設置することが望ましい。【００１４】  次にボトル口部外周１２の構造であるが、主に、ボトルキャップ体１を開栓するにあたり、ボトルキャップ体周側面内周に設置された突片等９と係合する下端にフラット面を有するボトル口部周方向突起１３ほかを周の一部に設置する。【００１５】  また、本発明においては、ボトルキャップ体周側面内周に設置された突片等９が開栓時にボトル口部周方向突起下端フラット面１７との係合をほぼ生じない箇所がボトル口部周方向突起１３と同周上の一定箇所に設置されており、その構造の一つには、ボトル口部周方向突起１３の突起上端面の一定箇所に閉栓方向側に下るスロープ面１８を形成し、そのスロープ面１８はボトル口部周方向突起下端フラット面１７に到達し、そのスロープ面１８がそのフラット面１７に到達した箇所は、ボトル口部周方向突起の全く存在しない箇所１４を形成し、ボトルキャップ体の開栓時にはボトルキャップ体周側面内周に設置された突片等９はブリッジ破断後に上記突起の全く存在しない箇所１４から上記スロープ面１８を開栓方向斜め上方に順次スライドする。【００１６】  なお、上記ボトル口部周方向突起の全く存在しない箇所１４の閉栓方向側ボトル口部周方向突起側端面２２の形状については、開栓方向斜め上方向に上昇するスロープを形成しまた、その開栓方向終端についてはボトル口部外周基礎面２０に到達するスロープを形成する（図７（ａ））。【００１７】  また、ボトルキャップ体周側面２の内周に設置された突片等９が開栓時にボトル口部周方向突起下端フラット面１７との係合をほぼ生じないその構造の一つには、主に上端にスロープ面を形成するボトル口部周方向突起下端フラット面１７から、ボトル口部周方向突起の全く存在しない箇所１４にかけてその下部に突部１５を設置し、その突部１５の形状についてはボトル口部周方向突起下端フラット面１７の高さよりボトル口部外周基礎面２０に向かって下降するが、その最下端には微小面２１が形成され、また、その突部１５の周方向両端に至る各部分はボトル口部外周基礎面２０に向けてスロープを形成する。【００１８】  なお、上記突部１５においてボトル口部周方向突起の全く存在しない箇所１４にかかるその周方向先端部の上端面２７については、ボトル口部周方向突起上端面１９に形成された閉栓方向側に下るスロープ面１８の傾斜角以上の下方傾斜角を持たせ、ボトルキャップ体周側面内周に設置された突片等９は開栓方向斜め上方に上記突部の上端並びに側部を順次スライドしていく。【００１９】  ところでボトルキャップ体１は開栓前のボトル口部への締結時より、開栓によるほぼブリッジ破断直前（図８（ａ））に至るまでの開栓初期の段階において、ボトルキャップ体周側面内周に設置された突片等９は、ボトル口部周方向突起下端フラット面１７との係合を強めつつ開栓方向に回転し、ボトル口部周方向突起の全く存在しない箇所１４並びに上記突部１５を開栓方向にスライドしながらわずかに上昇し、ボトル口部周方向突起下端フラット面１７との係合を逃れようとするが、ここで、ボトル口部周方向突起下端フラット面１７に設置した突部１５のボトルキャップ体開栓方向側最終箇所直近のボトル口部周方向突起下端フラット面１７に少なくともブリッジ破断に至るまでのボトルキャップ体１の上記上昇幅分の深さをもった凹部１６を設けることにより、ボトルキャップ体周側面内周に設置された突片等９は、再びボトル口部周方向突起下端のフラット面１７と係合しブリッジの破断に至るその係合を確実に保持できる。【００２０】  なお、上記凹部１６の形状は、基本的にボトルキャップ体周側面内周に設置された突片等９の開閉栓に伴う移行を妨げない形状（図６（ｂ）１６）とすることが望ましい。【００２１】  次に、ボトルキャップ体１のボトル口部への締結時におけるボトルキャップ体周側面に分離可能な切れ目を有さない箇所５のボトル口部外周１２に対する設定位置であるが、ボトルキャップ体１は開栓方向への回転によるブリッジ破断直前（図８（ａ））に至るまでの開栓初期の時点においてボトルキャップ体周側面内周に設置された突片等９とボトル口部周方向突起下端フラット面１７との係合によるブリッジの破断を発生させることはなくこの開栓初期の段階においてはボトルキャップ体周側面内周に設置された突片等９はボトル口部周方向突起下端フラット面１７との係合を強めつつ開栓方向に移行する。【００２２】  そこで、ボトルキャップ体１のボトル口部への締結時におけるボトルキャップ体周側面２に分離可能な切れ目を有さない箇所５のボトル口部外周１２に対する設定位置であるがほぼボトル口部周方向突起の全く存在しない箇所１４より、閉栓方向側に上記開栓初期からブリッジの破断が生じるまでのボトルキャップ体１の回転域の長さ分だけボトル口部外周１２を閉栓方向側に戻った箇所に設定（図６（ａ）��することが望ましい。【００２３】  次に、ボトル口部外周１２に設置されるスクリュー部２５については、ボトル口部外周上端部よりボトル口部外周１２を螺旋状に下降する形態を備えるが、そのスクリュー部はボトル口部周方向突起１３に接続され、ボトルキャップ体１の開栓にあたっては、主にボトルキャップ体周側面に設置された分離可能な切れ目６が上下に分離後、上記スクリュー部２５をボトルキャップ体１は上昇する。【００２４】  また、ボトル口部外周１２に設置されたスクリュー部２５について、ボトル口部周方向突起１３に接続される箇所付近が、ボトルキャップ体内周面に設置されているスクリュー部と係合しない部分をもつ時、そのスクリュー部分はボトルキャップ体１の開栓によるボトル口部外周１２上のその上昇幅を可能な限度において最大とする傾斜角度とすることが望ましい。【００２５】  また、上記ボトル口部外周１２に設置されたスクリュー部２５は、ボトル口部周方向突起１３に接続されるが、ボトルキャップ体内周面に設置されているスクリュー部と係合するそのスクリュー部２５のほぼ最下端をボトル口部周方向突起１３に接続することも可能であり、その時、ボトル口部の全高長を短くすることもまた可能となる。【００２６】  また、ボトルキャップ体１の開栓において、その周側面に分離可能な切れ目６を有する箇所から下方のボトルキャップ体周側面のボトル口部外周１２上における上昇を促すにあたり、ボトル口部外周に設置されたスクリュー部２５の一部に、ボトルキャップ体周側面内周に設置された突片等９が上記スクリュー部２５を斜め上方に横断可能な箇所２４の設置も考慮してもよい。【００２７】  次に、再閉栓についてであるが、開栓によるブリッジ破断後においても、ボトルキャップ体周側面２の周上を上下に分離可能な切れ目６及び同周上の分離可能な切れ目を有さない筒所５の上下ボトルキャップ体周側面２はボトルキャップ体１の形状形態を保持し、再閉栓から再閉栓完了に至るにあたっては、ボトルキャップ体周側面内周に設置された突片等９が、主に、ボトル口部周方向突起下端フラット面１７からボトル口部周方向突起の全く存在しない箇所１４にかけて設置された突部１５と接触し、ボトルキャップ体１の閉栓方向への回転に伴いボトル口部外周１２下方への力を受け、上記分離可能な切れ目６下方のボトルキャップ体周側面３はボトル口部下方に下がり、ダンパーエビデント性を確実に確保できる。【００２８】  最後に、ボトルキャップ体周側面内周に設置される突片等９については、従来のキャップ周状バンド内周面に設置された主にラチェット片等の突片又はボトル口部外周に設置された主にスクリュー谷部をボトルキャップ体の上昇及び下降に適した形状に改良されたそれら突片等２６によっても対応は可能である。
【他の実施形態】
【００２９】図１２（ａ）のボトルキャップ体閉栓時正面展開図は、ボトル口部外周スクリュー部２５とボトル口部周方向突起１３との連結部分を、ボトル口部外周スクリュー部バイパス部分２４を経由してボトル口部周方向突起にもう一箇所の連結箇所を設置したものである。
【００３０】図１２（ｂ）のボトルキャップ体閉栓時正面展開図は、ボトル口部周方向突起上端面１９に形成されたスロープ面１８上部を、ボトル口部外周スクリュー部バイパス部分２４に直結した形態である。
【００３１】図１２（ｃ）のボトルキャップ体閉栓時正面展開図は、図１２（ｂ）ほかに比較して、ボトル口部周方向突起下端フラット面１７を、ボトル口部外周スクリュー部２５下端に近づけるようにボトル口部外周上の比較的上部に設置し、ボトルキャップ体周側面２の縦幅を短縮し、さらに、ボトルキャップ体周側面内周突片等設置箇所４より下端のボトルキャップ体周側面の縦幅を広くした形態をもつものである。
【００３２】図１３は主にボトルキャップ体周側面の内周に設置される突片等の概略見取図であり、ボトルキャップ体の一部分としてその開閉栓時には、ボトル口部外周に設置されたスクリュー部を上昇及び下降するが、図１３における突片等２６の形状はほぼ半楕円形であり、スクリュー谷部と係合しない場合であっても同周上の他の突片等をスクリュー谷部に引き込む特性をもつ。
【００３３】本発明におけるボトル口部外周１２の形状及び形態は（００１５）乃至（００２０）に記載したとおり、ボトルキャップ体周側面内周に設置された突片等９が開栓時にボトル口部周方向突起下端フラット面１７との係合をほぼ生じない箇所がボトル口部周方向突起  １３と同周上の一定箇所に設置されると同時に、ボトル口部周方向突起下端フラット面１７に凹部１６を設けることにより、ボトルキャップ体周側面内周に設置された突片等９は再びボトル口部周方向突起下端のフラット面１７と係合し連結体の破断に至るその係合を確実に保持できる構造を備えており、上記それら構造の主にボトル口部周方向上でのボトル口部周方向突起ほかの構成割合により、ボトルキャップ体周側面の一周にわたって破断可能な連結体を介して分離可能な切れ目が設置された場合であっても、開栓による大部分の連結体破断後にその一部分を破断させることなく、分離可能な切れ目より下方のボトルキャプ体周側面部分をボトル口部外周からボトルキャップ体の一部分として抜き取ることも可能であり、ボトルキャップ体開閉栓時のその動作形態は、上記発明を実施するための最良の形態に類似する。
【００３４】また、（００３３）に記載したボトル口部外周１２の形状及び形態は、ボトルキャップ体周側面の一周にわたって破断可能な連結体を介して分離可能な切れ目が設置された場合において、その破断可能な連結体のすべてを破断させることも可能であり、このとき分離可能な切れ目より下方のボトルキャプ体周側面下方部分は従来どおり、開栓後もボトル口部外周に残されることになるが、容易に指先等の簡単な力により、ボトルキャップ体周側面内周に設置された突片等９が開栓時にボトル口部周方向突起下端フラット面１７との係合をほぼ生じない箇所より抜き取ることが可能であり（図１４）、さらに上記分離可能な切れ目より下方のボトルキャップ体周側面は、その内周に設置されている突片等が（００２７）に記載した突部１５と接触し、ダンパーエビデント性をさらに確実に確保でき、ボトル口部外周１２の本発明における新しい形状及び形態により、本発明の目的を同様に達成できるものである。
【図面の簡単な説明】
【００３５】
【図１】  ボトルキャップ体正面図ほかである。  （ａ）ボトルキャップ体正面図  （ｂ）ボトルキャップ体正面展開図
【図２】  ボトル口部外周正面図である。
【図３】  ボトル口部外周部分断面図である。
【図４】  ボトル口部外周正面展開図である。
【図５】  ボトルキャップ体閉栓時正面図である。
【図６】  ボトルキャップ体閉栓時正面展開図ほかである。  （ａ）ボトルキャップ体閉栓時正面展開図  （ｂ）ボトルキャップ体閉栓時正面展開部分図  （ｃ）部分断面図
【図７】  ボトル口部周方向突起周辺部分図ほかである。  （ａ）ボトル口部周方向突起閉栓方向側部分図  （ｂ）ボトル口部周方向突起開栓方向側部分図  （ｃ）ボトル口部周方向突起下端フラット面にかかる突部部分図
【図８】  ボトルキャップ体２分の１周時から１周時開栓時形態展開図である。  （ａ）ボトルキャップ体２分の１周時開栓展開図  （ｂ）ボトルキャップ体４分の３周時開栓展開図  （ｃ）ボトルキャップ体１周時開栓展開図
【図９】  ボトルキャップ体１と４分の１周時から２周時開栓時形態展開図である。  （ａ）ボトルキャップ体１と４分の１周時開栓展開図  （ｂ）ボトルキャップ体１と２分の１周時開栓展開図  （ｃ）ボトルキャップ体２周時開栓展開図
【図１０】  ボトルキャップ体再閉栓時形態展開図である。  （ａ）ボトルキャップ体再閉栓２分の１周前展開図  （ｂ）ボトルキャップ体再閉栓４分の１周前展開図  （ｃ）ボトルキャップ体再閉栓完了時展開図
【図１１】  ボトルキャップ体開栓時正面図ほかである。  （ａ）ボトルキャップ体開栓時正面図  （ｂ）部分断面図  （ｃ）ボトルキャップ体内周面ほか概略見取図
【図１２】  ボトルキャップ体閉栓時正面展開図（他の実施形態）である。  （ａ）他の実施形態１  （ｂ）他の実施形態２  （ｃ）他の実施形態３
【図１３】  ボトルキャップ体内周面ほか概略見取図（他の実施形態）である。
【図１４】  ボトルキャップ開栓時正面図（他の実施形態）である。
【符号の説明】
【００３６】  １  ボトルキャップ体
２  ボトルキャップ体周側面
３  切れ目を有する一周線下方のボトルキャップ体周側面
４  ボトルキャップ体内周面突片等設置箇所
５  ボトルキャップ体周側面を上下に分離可能な切れ目を有さない箇所
６  ボトルキャップ体周側面を破断可能な連結体を介して上下に分離可能な切れ目
７  ボトルキャップ体周側面上の切れ目下端
８  ボトルキャップ体周側面上の切れ目上端
９  ボトルキャップ体周側面内周に設置の突片等
１０  連結体破断後のボトルキャップ体周側面空間部分
１１  開栓による連結体破断済箇所
１２  ボトル口部外周
１３  ボトル口部周方向突起
１４  ボトル口部周方向突起の全く存在しない箇所
１５  ボトル口部周方向突起下端フラット面にかかる突部
１６  ボトル口部周方向突起下端面凹部
１７  ボトル口部周方向突起下端フラット面
１８  ボトル口部周方向突起上端面に形成された閉栓方向側に下るスロープ面
１９  ボトル口部周方向突起上端面
２０  ボトル口部外周基礎面
２１突部最下端微小面
２２  閉栓方向側ボトル口部周方向突起側端面
２３  ボトル口部周方向突起上方に直接突片が抜ける箇所
２４  ボトル口部外周スクリュー部バイパス部分
２５  ボトル口部外周スクリュー部
２６  主にスクリュー部と係合を図るボトルキャップ体周側面内周に設置された突片等
２７  突部周方向先端部上端面
２８  ボトルキャップ
【手続補正３】
【補正対象書類名】図面
【補正対象項目名】全図
【補正方法】変更
【補正の内容】
【図１】
2005247425.tif 000029
【図２】
2005247425.tif 000030
【図３】
2005247425.tif 000031
【図４】
2005247425.tif 000032
【図５】
2005247425.tif 000033
【図６】
2005247425.tif 000034
【図７】
2005247425.tif 000035
【図８】
2005247425.tif 000036
【図９】
2005247425.tif 000037
【図１０】
2005247425.tif 000038
【図１１】
2005247425.tif 000039
【図１２】
2005247425.tif 000040
【図１３】
2005247425.tif 000041
【図１４】
2005247425.tif 000042
【手続補正書】
【提出日】平成16年8月5日(2004.8.5)
【手続補正１】
【補正対象書類名】特許請求の範囲
【補正対象項目名】請求項１２
【補正方法】変更
【補正の内容】
【請求項１２】
請求項９に記載した突片等との係合が主にボトルキャップ体の開栓時にほぼ生じない箇所として、一つには主に請求項８に記載した上端にスロープ面を形成するボトル口部周方向突起下端フラット面から請求項１０に記載したボトル口部周方向突起の全く存在しない箇所にかけたボトル口部周方向突起下端フラット面に、そのフラット面のほぼ高さからボトル口部外周基礎面下方向及びボトル口部外周基礎面周方向に向けた突部を形成する請求項１乃至１１に記載のペットボトルに代表されるキャップ付きボトル型樹脂容器。
【手続補正２】
【補正対象書類名】特許請求の範囲
【補正対象項目名】請求項１４
【補正方法】変更
【補正の内容】
【請求項１４】
請求項９に記載した突片等との係合が主にボトルキャップ体の開栓時にほぼ生じない箇所の開栓方向側最終箇所付近のボトル口部周方向突起下端フラット面には、ボトルキャップ体の開栓開始から請求項３に記載の連結体の破断直前に至るまでの間に、請求項５に記載した突片等が、ボトル口部周方向突起下端フラット面との係合を逃れることを防ぐ、相応の深さをもった凹部を設置する請求項１乃至１３に記載のペットボトルに代表されるキャップ付きボトル型樹脂容器。
【手続補正書】
【提出日】平成17年4月30日(2005.4.30)
【手続補正１】
【補正対象書類名】特許請求の範囲
【補正対象項目名】全文
【補正方法】変更
【補正の内容】
【特許請求の範囲】
【請求項１】
未開栓の状態からボトルキャップ体が開栓により開栓方向に回転する時、ボトルキャップ体周側面の内周に配置されている突片等とボトル口部外周スクリュー部下部に設けられている下端にフラット面を有するボトル口部周方向突起との係合によりボトルキャップ体周側面の一周線上の一定箇所に設置されているその周側面を上下に分離する切れ目を接合している破断可能な連結体が破断する一方、下端にフラット面を有しているボトル口部周方向突起と同周上のボトル口部外周には、上記係合を消滅させる主にボトル口部周方向突起の全く存在しない部分及びその突起下端の一部分にボトル口部下方及びボトル口部周方向に向け、上記係合を消滅させる形状をもつ突部を有し、さらに、ボトル口部外周に設置されているスクリュー部は、上記ボトル口部周方向突起へ連結されており、開栓による上記連結体破断後ボトルキャップ体周側面内周に設置されている突片等は上記突起下端フラット面との係合から開放され、その後にほぼ螺旋状にボトル口部外周に設置されている連結箇所を含めたスクリュー部を回転しながら上昇しボトル口部より外れるが、また、再閉栓時には開栓によりボトル口部より外れたボトルキャップ体またはボトルキャップで閉栓が行われ、再閉栓完了直前及び完了時には、容易に開栓の表示が明確となる以上のような特徴を主に備えたペットボトルに代表されるキャップ付きボトル型樹脂容器。
【請求項２】
ボトルキャップ体周側面の一周線上には、その周側面を上下に分離可能な切れ目がその周上の一定箇所に設置されるが、その一周線上を含めた下方のボトルキャップ体周側面も、ボトルキャップ体の開閉栓においてボトルキャップ体としてボトル口部外周を開閉栓機能をもって動作することが可能な請求項１に記載のペットボトルに代表されるキャップ付きボトル型樹脂容器。
【請求項３】
請求項２に記載したボトルキャップ体周側面を上下に分離可能な切れ目は、ボトルキャップ体開栓の際に、その切れ目に作用する力により破断可能な連結体で接合されているが、その連結体についても同様に開閉栓機能をもつボトルキャップ体周側面の一周線上の一定箇所に設置されるものである請求項１乃至２に記載のペットボトルに代表されるキャップ付きボトル型樹脂容器。
【請求項４】
ボトルキャップ体としてボトル口部外周を開閉栓機能をもって動作する請求項２に記載したボトルキャップ体周側面を上下に分離可能な切れ目を有する一周線上において、他の一定箇所をその周線上に有するとき、上記他の一定箇所はその周側面を上下に分離可能な切れ目を有さない請求項１乃至３に記載のペットボトルに代表されるキャップ付きボトル型樹脂容器。
【請求項５】
請求項２乃至４に記載したボトルキャップ体周側面の一周線上の下方のボトルキャップ体周側面内周には突片等が周状に設置されるが、この突片等についても同様にボトルキャップ体としてボトル口部外周を開閉栓機能をもって動作し、開栓の際には主に請求項３に記載の連結体の破断に係る請求項１乃至４に記載のペットボトルに代表されるキャップ付きボトル型樹脂容器。
【請求項６】
請求項５に記載したとおりボトルキャップ体周側面内周の一周線上の下方のボトルキャップ体周側面内周には突片等が設置され、請求項３に記載の連結体の破断に主に係るほか、その突片等はボトルキャップ体の開閉栓時に、ボトル口部外周スクリュー部ほかをボトルキャップ体周側面内周に設置された突片等全体が上昇及び下降するに適した形状を少なくともその一部分に持つ請求項１乃至５に記載のペットボトルに代表されるキャップ付きボトル型樹脂容器。
【請求項７】
ボトル口部外周スクリュー部下部の周方向には下端にフラット面を有したボトル口部周方向突起がその周上の一部を除く箇所に設けられ、その下端のフラット面はボトルキャップ体の開栓時に請求項５に記載の突片等と係合する請求項１乃至６に記載のペットボトルに代表されるキャップ付きボトル型樹脂容器。
【請求項８】
ボトル口部周方向突起の突起上端面の一定箇所には閉栓方向側に下るスロープ面を設置する請求項１乃至７に記載のペットボトルに代表されるキャップ付きボトル型樹脂容器。
【請求項９】
請求項７に記載したボトル口部外周スクリュー部下部の周方向に設置された下端にフラット面を有しているボトル口部周方向突起のほかにその同周上には、請求項５に記載の突片等との係合が主にボトルキャップ体の開栓時にほぼ生じない箇所を設置する請求項１乃至８に記載のペットボトルに代表されるキャップ付きボトル型樹脂容器
【請求項１０】
請求項９に記載した突片等との係合が主にボトルキャップ体の開栓時にほぼ生じない箇所として、一つにはボトル口部周方向突起の突起上端面の一定箇所に請求項８に記載の閉栓方向側に下るスロープ面が設置され、そのスロープ面がボトル口部周方向突起下端フラット面に到達する箇所付近には上記突起は全く存在しない請求項１乃至９に記載のペットボトルに代表されるキャップ付きボトル型樹脂容器。
【請求項１１】
請求項１０に記載した突起が全く存在しない箇所付近の開栓方向及び閉栓方向側ボトル口部周方向突起側端面の形状については、ボトルキャップ体の開閉栓にあたり、主に請求項５に記載した突片等が、上記側端面を上昇及び下降するに適した形状とする請求項１乃至１０に記載のペットボトルに代表されるキャップ付きボトル型樹脂容器。
【請求項１２】
請求項９に記載した突片等との係合が主にボトルキャップ体の開栓時にほぼ生じない箇所として、一つには主に請求項８に記載した上端にスロープ面を形成するボトル口部周方向突起下端フラット面から請求項１０に記載したボトル口部周方向突起の全く存在しない箇所にかけたボトル口部周方向突起下端フラット面に、そのフラット面のほぼ高さからボトル口部外周基礎面下方向及びボトル口部外周基礎面周方向に向けた突部を形成する請求項１乃至１１に記載のペットボトルに代表されるキャップ付きボトル型樹脂容器。
【請求項１３】
請求項１２に記載した突部は、請求項１０に記載したボトル口部周方向突起の全く存在しない箇所から、その突部周方向先端部にかけてその上端面は、請求項８に記載の閉栓方向側に下るスロープ面に連なる請求項１乃至１２に記載のペットボトルに代表されるキャップ付きボトル型樹脂容器。
【請求項１４】
請求項９に記載した突片等との係合が主にボトルキャップ体の開栓時にほぼ生じない箇所の開栓方向側最終箇所付近のボトル口部周方向突起下端フラット面には、ボトルキャップ体の開栓開始から請求項３に記載の連結体の破断直前に至るまでの間に、請求項５に記載した突片等が、ボトル口部周方向突起下端フラット面との係合を逃れることを防ぐ、相応の深さをもった凹部を設置する請求項１乃至１３に記載のペットボトルに代表されるキャップ付きボトル型樹脂容器。
【請求項１５】
請求項１４に記載の凹部の形状は、ボトルキャップ体の開閉栓に伴うボトルキャップ体周側面内周に設置された突片等の移行を妨げない形状とする請求項１乃至１４に記載のペットボトルに代表されるキャップ付きボトル型樹脂容器。
【請求項１６】
請求項４に記載したボトルキャップ体の周側面を上下に分離可能な切れ目を有さない箇所は、開栓にあたって請求項３に記載の連結体の破断に至る直前には、請求項９に記載のボトル口部周方向突起と突片等との係合がほぼ生じない箇所付近に位置する請求項１乃至１５に記載のペットボトルに代表されるキャップ付きボトル型樹脂容器
【請求項１７】
ボトル口部外周はスクリュー部が螺旋状に設置されているがそのスクリュー部はボトル口部周方向突起に連結され、そのスクリュー谷部に相当する部分は請求項９に記載の突片等との係合が主にボトルキャップ体の開栓時にほぼ生じない箇所に連なる請求項１乃至１６に記載のペットボトルに代表されるキャップ付きボトル型樹脂容器。
【請求項１８】
再閉栓においては、請求項１７に記載したスクリュー部をボトルキャップ体が回転を伴ってボトル口部外周を降下するが、再閉栓終了にあたりボトルキャップ体周側面内周に設置された突片等は主にボトル口部周方向突起下端フラット面並びに請求項１２に記載した突部と接触し、上下に分離されているボトルキャップ体周側面の下方部分はボトル口部下方に下がり、ダンパーエビデント性を確実に確保できる請求項１乃至１７に記載のペットボトルに代表されるキャップ付きボトル型樹脂容器。
【請求項１９】
請求項１８に記載した上下に分離されているボトルキャップ体周側面の下方部分の最も下がる箇所を未開栓並びに開栓確認箇所として、ボトルキャップ体又はボトル口部外周等に明示する請求項１乃至１８に記載のペットボトルに代表されるキャップ付きボトル型樹脂容器。
【請求項２０】
請求項１７に記載したボトル口部外周に設置されたスクリュー部はボトル口部周方向突起に連結されるが、そのスクリュー部がボトルキャップ体周側面内周に設置されているスクリュー部と係合しない箇所を持つ時、その係合しない箇所に設置されるボトル口部外周スクリュー部分は、上記係合する箇所のスクリュー部傾斜角度と一連である必要はない請求項１乃至１９に記載のペットボトルに代表されるキャップ付きボトル型樹脂容器。
【請求項２１】
ボトルキャップ体が開栓時にボトル口部外周を上昇するにあたり、ボトルキャップ体周側面内周に設置された突片等がボトル口部外周に設置されたスクリュー部を斜め上方に横断可能な箇所を必要に応じて設置する請求項１乃至２０に記載のペットボトルに代表されるキャップ付きボトル型樹脂容器。
【請求項２２】
請求項７乃至１６に記載したボトル口部外周の形状及び形態は、請求項３に記載した破断可能な連結体による接合によりボトルキャップ体周側面の一周線上にわたって分離可能な切れ目が設置される場合においても、その新しい形状及び形態をもって本発明の目的を達成できるペットボトルに代表されるキャップ付きボトル型樹脂容器。
【請求項２３】
請求項２２に記載したボトルキャップ体周側面の一周線上にわたって破断可能な連結体による接合により、分離可能な切れ目が設置される場合、上記連結体の一部分について、その連結体の強度を高めることによっても、本発明の目的を達成できる請求項１乃至２２に記載のペットボトルに代表されるキャップ付きボトル型樹脂容器。
【手続補正２】
【補正対象書類名】明細書
【補正対象項目名】全文
【補正方法】変更
【補正の内容】
【発明の詳細な説明】
【技術分野】
【０００１】  本発明はペットボトルに代表されるキャップ付きボトル型樹脂容器で、特にリサイクルを前提としたキャップ付きボトル型樹脂容器としての使用に適した、主にペットボトルのボトル口部外周の構造及びそれに付随するボトルキャップ体の開閉栓機能並びに構造に関する。
【背景技術】
【０００２】  従来、一般の使用に供されているペットボトルに代表されるキャップ付きボトル型樹脂容器は、ボトルキャップとその下端に複数のブリッジにより連結されたキャップ周状バンドがボトル口部に締結されており、上記各部ほかで構成されたボトルキャップほかの開栓方向への回転並びに上昇により、ボトル口部外周スクリュー部下部に設置されている周状の突起との係合をもって、キャップ周状バンドが上記ブリッジの破断により完全にボトルキャップから分離し開栓するが、このキャップ周状バンドはボトル口部外周スクリュー部下部に設置されている周状の突起下に残されるため、特にリサイクルにあたり材質の異なる異質物としてこのキャップ周状バンドを分離除去する必要がある。
【発明の開示】
【発明が解決しようとする課題】
【０００３】  この発明は、ペットボトルに代表されるキャップ付きボトル型樹脂容器が、開栓によるボトルキャップ体のボトル口部からの取り外し時に、従来のペットボトルに代表されるキャップ付きボトル型樹脂容器の持つ機能を損なうことなく、ボトル口部外周よりボトルキャップ体のすべてを分離し、しかも再閉栓が可能である開栓済表示機能を持ったペットボトルに代表されるキャップ付きボトル型樹脂容器の提供を主な目的としている。
【問題を解決するための手段】
【０００４】  この目的を解決するために、この発明によれば主にボトル口部外周スクリュー部下部の周方向には下端にフラット面を有したボトル口部周方向突起がその周上の一部を除く箇所に設けられ、このボトル口部周方向突起上端面は閉栓方向側に下るスロープ面を有すること及びボトル口部周方向突起に係る突起の全く存在しない箇所を有すること及び主にボトル口部周方向突起下端フラット面からボトル口部周方向突起に係る突起の全く存在しない箇所にかけてその下部に突部を有すること及びボトル口部周方向突起下端フラット面の一定箇所に凹部を有すること及びボトルキャップ体においては、その周側面に開栓によって破断可能な連結体を介して上下に分離可能な切れ目をボトルキャップ体周側面の一周線上の一定箇所に有し、その一周線上の下部周側面はボトルキャップ体としてボトル口部外周を開閉栓機能をもって動作することが可能であること及びボトル口部外周に設置されたスクリュー谷部がボトル口部周方向突起の全く存在しない箇所へ連結されていることを主な特徴とする。
【発明の効果】
【０００５】  本発明によるペットボトルに代表されるキャップ付きボトル型樹脂容器は、ボトルキャップ体のすべてを開閉栓するにあたって、主にボトルキャップ体の形態を保ったままボトル口部外周をほぼ螺旋状に上昇下降させることができ、再閉栓にあたっては開栓済みの表示を確実に確保し、ボトルキャップ体は繰り返し使用することが可能であり、また、キャップ周状バンドの除去も容易にできるペットボトルに代表されるキャップ付きボトル型樹脂容器であり、消費者の利便性及びリサイクル時の効率、品質及びリターナブル容器として使用される場合に優れた効果を期待できる。
【発明を実施するための最良の形態】
【０００６】  本発明によるペットボトルに代表されるキャップ付きボトル型樹脂容器について図面番号並びに符号を付記して述べるが、従来、一般の使用に供されているボトルキャップはダンパーエビデント性を担うキャップ周状バンドをボトルキャップ下端に開栓により破断可能な連結体を介して接合しているわけだが、本発明によれば、このキャップ周状バンドの持つ従来の機能をボトルキャップ体１に機能的に取り込むことが可能であり、本発明のボトルキャップ体１並びにボトル口部外周１２の構造により、ボトルキャップ体１はその開閉栓の際に従来のキャップ周状バンドが担ったダンパーエビデント性を損なうことなくそのボトルキャップ体１の形状を持ってボトル口部外周１２からの開栓及びボトル口部外周１２への閉栓動作を実施することが出来る、新しい形状及び形態のボトル口部外周１２並びにそれと一連をなすボトルキャップ体１に関する発明である。【０００７】  ボトルキャップ体１の構造については、ボトルキャップ体周側面２の主に下方部に開栓により破断可能な連結体（以下ブリッジという）を介してその周側面を上下に分離可能な切れ目６をボトルキャップ体周側面の一周線上の一定箇所に設置するとともに、その同周上の他の一定箇所には上記切れ目を有さない箇所５を同時に設置し、開閉栓時においてボトルキャップ体としての形状形態を保つ。【０００８】  ボトルキャップ体周側面２を上下に分離可能な切れ目６は、未開栓の状態であるボトル口部へのボトルキャップ体１締結時においてはブリッジにより連結されているが、開栓によるそのブリッジの破断によりボトルキャップ体周側面２は上下に分離し、また、その同周上でボトルキャップ体周側面を上下に分離可能な切れ目を有さない箇所５についてはボトルキャップ体１の開栓方向への回転に伴い、ボトル口部外周１２をボトルキャップ体１として通常に上昇する。【０００９】  この限りにおいて、ボトルキャップ体周側面の周上で、その周側面に分離可能な切れ目６を有する箇所から下方のボトルキャップ体周側面については、従来のキャップ周状バンドの形状を使用することも可能であり、また、分離可能な切れ目を有さない箇所５についても同様に、従来の上記キャップ周状バンドをブリッジを介さずに直結することで使用することが可能であるが、本発明においては分離可能な切れ目６を有する箇所はボトルキャップ体周側面であり、その周側面を上下に分離する切れ目を有する一周線下方のボトルキャップ体周側面３はボトルキャップ体１としての形状及び機能を開閉栓にあたり維持するものであり、また、上記切れ目を有する箇所を含む一周線は直線である必要はなく、さらにボトルキャップ体周側面に設置されることにより、従来よりもその周側面上において、比較的上方に設置することも可能である。【００１０】  次に、ボトルキャップ体周側面２を開栓時に上下に分離可能な切れ目６及び同周上の分離可能な切れ目を有さない箇所５より下方のボトルキャップ体周側面内周にはその内周の大部分に突片等９が設置されており、この突片等９は後述するボトル口部周方向突起下端フラット面１７と係合し、ボトルキャップ体周側面２に設置された分離可能な切れ目６を開栓の際にブリッジを破断することによ��上下に分離するが、同周上でボトルキャップ体周側面２に分離可能な切れ目を有さない箇所５下方のボトルキャップ体周側面内周は上記係合を必要としない箇所であり、必ずしも上記突片等９を設置する必要はない。【００１１】  また、ボトルキャップ体周側面２でその周側面を上下に分離可能な切れ目６を有する箇所の閉栓方向側最終端より、わずかに開栓方向側に向かう分離可能な切れ目６を有する箇所下方のボトルキャップ体周側面については、開栓によるブリッジの破断から最終的にボトル口部周方向突起下端フラット面１７より直接ボトル口部周方向突起上方に抜ける箇所２３に相当するが、閉栓方向側ボトル口部周方向突起側端面２２の形状により、ボトルキャップ体の開栓に支障をきたすことはない。【００１２】  この限りにおいても、上記分離可能な切れ目６を有する箇所及び同周上で分離可能な切れ目を有さない箇所５の下方ボトルキャップ体周側面の内周に設置される突片等として従来のキャップ周状バンド内周面に設置された突片等を使用した形状で機能させることも可能であるが、本発明における上記突片等の設置箇所は上記切れ目を有する箇所及び同周上の切れ目を有しない箇所下方のボトルキャップ体周側面内周であり、ボトルキャップ体の一部分として開閉栓にあたりボトル口部外周を上昇及び下降する。【００１３】  上記に関連して、ボトルキャップ体周側面の内周に設置される突片等９は、ボトルキャップ体の一部分としてその開閉栓時には、ボトル口部外周に設置されたスクリュー部を上昇及び下降するが、その突片等の形状はスクリュー谷部と係合しやすい形状を持つ突片等（図１３（ｃ）２６）をその内周の少なくとも一部分には設置することが望ましい。【００１４】  次にボトル口部外周１２の構造であるが、主に、ボトルキャップ体１を開栓するにあたり、ボトルキャップ体周側面内周に設置された突片等９と係合する下端にフラット面を有するボトル口部周方向突起１３ほかを周の一部に設置する。【００１５】  また、本発明においては、ボトルキャップ体周側面内周に設置された突片等９が開栓時にボトル口部周方向突起下端フラット面１７との係合をほぼ生じない箇所がボトル口部周方向突起１３と同周上の一定箇所に設置されており、その構造の一つには、ボトル口部周方向突起１３の突起上端面の一定箇所に閉栓方向側に下るスロープ面１８を形成し、そのスロープ面１８はボトル口部周方向突起下端フラット面１７に到達し、そのスロープ面１８がそのフラット面１７に到達した箇所は、ボトル口部周方向突起の全く存在しない箇所１４を形成し、ボトルキャップ体の開栓時にはボトルキャップ体周側面内周に設置された突片等９はブリッジ破断後に上記突起の全く存在しない箇所１４から上記スロープ面１８を開栓方向斜め上方に順次スライドする。【００１６】  なお、上記ボトル口部周方向突起の全く存在しない箇所１４の閉栓方向側ボトル口部周方向突起側端面２２の形状については、開栓方向斜め上方向に上昇するスロープを形成しまた、その開栓方向終端についてはボトル口部外周基礎面２０に到達するスロープを形成する（図７）。【００１７】  また、ボトルキャップ体周側面２の内周に設置された突片等９が開栓時にボトル口部周方向突起下端フラット面１７との係合をほぼ生じないその構造の一つには、主に上端にスロープ面を形成するボトル口部周方向突起下端フラット面１７から、ボトル口部周方向突起の全く存在しない箇所１４にかけてその下部に突部１５を設置し、その突部１５の形状については、ほぼボトル口部周方向突起下端フラット面１７の高さよりボトル口部外周基礎面２０に向かって下降するが、その突部１５のボトル周方向両端に至る各部分はボトル口部外周基礎面２０に向けてスロープを形成する。【００１８】  なお、上記突部１５において、ボトル口部周方向突起の全く存在しない箇所１４からその周方向先端部上端面２７にかかる箇所ついては、ボトル口部周方向突起上端面１９に形成された閉栓方向側に下るスロープ面１８に連なる形状とし、ボトルキャップ体周側面内周に設置された突片等９は開栓方向斜め上方に上記突部の上端並びに側部を順次スライドしていく。【００１９】  ところでボトルキャップ体１は開栓前のボトル口部への締結時より、開栓によるほぼブリッジ破断直前（図１０（ａ））に至るまでの開栓初期の段階において、ボトルキャップ体周側面内周に設置された突片等９は、ボトル口部周方向突起下端フラット面１７との係合を強めつつ開栓方向に回転し、ボトル口部周方向突起の全く存在しない箇所１４並びに上記突部１５を開栓方向にスライドしながらわずかに上昇し、ボトル口部周方向突起下端フラット面１７との係合を逃れようとするが、ここで、ボトル口部周方向突起下端フラット面１７に設置した突部１５のボトルキャップ体開栓方向側最終箇所付近のボトル口部周方向突起下端フラット面１７に少なくともブリッジ破断に至るまでのボトルキャップ体１の上記上昇幅分の深さをもった凹部１６を設けることにより、ボトルキャップ体周側面内周に設置された突片等９は、再びボトル口部周方向突起下端のフラット面１７と係合しブリッジの破断に至るその係合を確実に保持できる。【００２０】  なお、上記凹部１６の形状は、基本的にボトルキャップ体周側面内周に設置された突片等９の形状を考慮し、開閉栓に伴うその突片等の移行を妨げない形状とすることが望ましい。【００２１】  次に、ボトルキャップ体１のボトル口部への締結時におけるボトルキャップ体周側面に分離可能な切れ目を有さない箇所５のボトル口部外周１２に対する設定位置であるが、ボトルキャップ体１は開栓方向への回転によるブリッジ破断直前（図１０（ａ））に至るまでの開栓初期の時点においてボトルキャップ体周側面内周に設置された突片等９とボトル口部周方向突起下端フラット面１７との係合によるブリッジの破断を発生させることはなくこの開栓初期の段階においてはボトルキャップ体周側面内周に設置された突片等９はボトル口部周方向突起下端フラット面１７との係合を強めつつ開栓方向に移行する。【００２２】  そこで、ボトルキャップ体１のボトル口部への締結時におけるボトルキャップ体周側面２に分離可能な切れ目を有さない箇所５のボトル口部外周１２に対する設定位置であるがほぼボトル口部周方向突起の全く存在しない箇所１４より、閉栓方向側に上記開栓初期からブリッジの破断が生じるまでのボトルキャップ体１の回転域の長さ分だけボトル口部外周１２を閉栓方向側に戻った��所に設定（図６（ａ））することが望ましい。【００２３】  次に、ボトル口部外周１２に設置されるスクリュー部２５については、ボトル口部外周上端部よりボトル口部外周１２を螺旋状に下降する形態を備えるが、そのスクリュー部はボトル口部周方向突起１３に接続され、ボトルキャップ体１の開栓にあたっては、主にボトルキャップ体周側面に設置された分離可能な切れ目６が上下に分離後、上記スクリュー部２５をボトルキャップ体１は上昇する。【００２４】  また、ボトル口部外周１２に設置されたスクリュー部２５について、ボトル口部周方向突起１３に接続される箇所付近が、ボトルキャップ体内周面に設置されているスクリュー部と係合しない部分をもつ時、そのスクリュー部分はボトルキャップ体１の開栓による切れ目を有する一周線下方のボトルキャップ体周側面の上昇幅を、可能な限度において最大とする傾斜角度とすることが望ましい。【００２５】  また、ボトル口部外周１２に設置されたスクリュー部２５は、ボトル口部周方向突起１３に接続されるが、ボトルキャップ体内周面に設置されているスクリュー部と係合するそのスクリュー部２５のほぼ最下端をボトル口部周方向突起１３に接続することも可能であり、その時、ボトル口部の全高長を短くすることもまた可能となる。【００２６】  また、ボトルキャップ体１の開栓において、その周側面に分離可能な切れ目６を有する箇所から下方のボトルキャップ体周側面のボトル口部外周１２上における上昇を促すにあたり、ボトル口部外周に設置されたスクリュー部２５の一部に、ボトルキャップ体周側面内周に設置された突片等９が上記スクリュー部２５を斜め上方に横断可能な箇所２４の設置も考慮してもよい。【００２７】  次に、再閉栓についてであるが、開栓によるブリッジ破断後においても、ボトルキャップ体周側面２の周上を上下に分離可能な切れ目６及び同周上の分離可能な切れ目を有さない箇所５の上下ボトルキャップ体周側面２はボトルキャップ体１の形状形態を保持し、再閉栓から再閉栓完了に至るにあたっては、ボトルキャップ体周側面内周に設置された突片等９が、主に、ボトル口部周方向突起下端フラット面１７からボトル口部周方向突起の全く存在しない箇所１４にかけて設置された突部１５と接触し、ボトルキャップ体１の閉栓方向への回転に伴いボトル口部外周１２下方への力を受け、上記分離可能な切れ目６下方のボトルキャップ体周側面３はボトル口部下方に下がり、ダンパーエビデント性を確実に確保できる。【００２８】  最後に、ボトルキャップ体周側面内周に設置される突片等９については、従来のキャップ周状バンド内周面に設置された主にラチェット片等の突片又はボトル口部外周に設置された主にスクリュー谷部をボトルキャップ体の上昇及び下降に適した形状に改良されたそれら突片等２６によっても対応は可能である。
【他の実施形態】
【００２９】  図１４（ａ）のボトルキャップ体閉栓時正面展開見取図は、ボトル口部外周スクリュー部２５とボトル口部周方向突起１３との連結部分を、ボトル口部外周スクリュー部バイパス部分２４を経由してボトル口部周方向突起にもう一箇所の連結箇所を設置したものである。
【００３０】  図１４（ｂ）のボトルキャップ体閉栓時正面展開見取図は、ボトル口部周方向突起上端面１９に形成されたスロープ面１８上部を、ボトル口部外周スクリュー部バイパス部分２４に直結した形態である。
【００３１】  図１４（ｃ）のボトルキャップ体閉栓時正面展開見取図は、図１４（ｂ）ほかに比較して、ボトル口部周方向突起下端フラット面１７を、ボトル口部外周スクリュー部２５下端に近づけるようにボトル口部外周上の比較的上部に設置し、ボトルキャップ体周側面２の縦幅を短縮し、さらに、ボトルキャップ体周側面内周突片等設置箇所４より下端のボトルキャップ体周側面の縦幅を広くした形態をもつものである。
【００３２】  図１４は主にボトルキャップ体周側面の内周に設置される突片等の概略見取図であり、ボトルキャップ体の一部分としてその開閉栓時には、ボトル口部外周に設置されたスクリュー部を上昇及び下降するが、図１４における突片等２６の形状はほぼ半楕円形であり、スクリュー谷部と係合しない場合であっても同周上の他の突片等をスクリュー谷部に引き込む特性をもつ。
【００３３】  本発明におけるボトル口部外周１２の形状及び形態は（００１５）乃至（００２０）に記載したとおり、ボトルキャップ体周側面内周に設置された突片等９が開栓時にボトル口部周方向突起下端フラット面１７との係合をほぼ生じない箇所がボトル口部周方向突起１３と同周上の一定箇所に設置されると同時に、ボトル口部周方向突起下端フラット面１７に凹部１６を設けることにより、ボトルキャップ体周側面内周に設置された突片等９は再びボトル口部周方向突起下端のフラット面１７と係合し連結体の破断に至るその係合を確実に保持できる構造を備えており、上記それら構造の主にボトル口部周方向上でのボトル口部周方向突起ほかの構成割合により、ボトルキャップ体周側面の一周にわたって破断可能な連結体を介して分離可能な切れ目が設置された場合であっても、開栓による大部分の連結体破断後にその一部分を破断させることなく、分離可能な切れ目より下方のボトルキャプ体周側面部分をボトル口部外周からボトルキャップ体の一部分として抜き取ることも可能であり、ボトルキャップ体開閉栓時のその動作形態は、上記発明を実施するための最良の形態に類似する。
【００３４】  また、（００３３）に記載したボトル口部外周１２の形状及び形態は、ボトルキャップ体周側面の一周にわたって破断可能な連結体を介して分離可能な切れ目が設置された場合において、その破断可能な連結体のすべてを破断させることも可能であり、このとき分離可能な切れ目より下方のボトルキャプ体周側面下方部分は従来どおり、開栓後もボトル口部外周に残されることになるが、容易に指先等の簡単な力により、ボトルキャップ体周側面内周に設置された突片等９が開栓時にボトル口部周方向突起下端フラット面１７との係合をほぼ生じない箇所より抜き取ることが可能であり（図１６）、さらに上記分離可能な切れ目より下方のボトルキャップ体周側面は、その内周に設置されている突片等が（００２７）に記載した突部１５と接触し、ダンパーエビデント性をさらに確実に確保でき、ボトル口部外周１２の本発明における新しい形状及び形態により、本発明の目的を同様に達成できるものである。
【００３５】  図１７乃至図１９のボトル口部外周正面図及び閉栓、開栓方向側側面図は、ボトルキャップ体周側面内周に設置される突片等の形状により、主に突部周方向先端部上端面２７の下方傾斜角を緩くすることにより、本発明の目的を同様に達成できるものである。
【図面の簡単な説明】
【００３６】
【図１】  ボトルキャップ体正面見取図ほかである。（ａ）ボトルキャップ体正面見取図  （ｂ）ボトルキャップ体正面展開見取図
【図２】  ボトル口部外周正面見取図である。
【図３】  ボトル口部外周部分断面見取図である。
【図４】  ボトル口部外周正面展開見取図である。
【図５】  ボトルキャップ体閉栓時正面見取図である。
【図６】  ボトルキャップ体閉栓時正面展開見取図ほかである。（ａ）ボトルキャップ体閉栓時正面展開見取図  （ｂ）ボトルキャップ体閉栓時正面展開部分見取図  （ｃ）部分断面見取図
【図７】  ボトル口部外周正面図である。
【図８】  ボトル口部外周閉栓方向側側面図である。
【図９】  ボトル口部外周開栓方向側側面図である。
【図１０】  ボトルキャップ体２分の１周時から１周時開栓時形態展開見取図である。（ａ）ボトルキャップ体２分の１周時開栓展開見取図  （ｂ）ボトルキャップ体４分の３周時開栓展開見取図  （ｃ）ボトルキャップ体１周時開栓展開見取図
【図１１】  ボトルキャップ体１と４分の１周時から２周時開栓時形態展開見取図である。（ａ）ボトルキャップ体１と４分の１周時開栓展開見取図  （ｂ）ボトルキャップ体１と２分の１周時開栓展開見取図  （ｃ）ボトルキャップ体２周時開栓展開見取図
【図１２】  ボトルキャップ体再閉栓時形態展開見取図である。（ａ）ボトルキャップ体再閉栓２分の１周前展開見取図  （ｂ）ボトルキャップ体再閉栓４分の１周前展開見取図  （ｃ）ボトルキャップ体再閉栓完了時展開見取図
【図１３】  ボトルキャップ体開栓時正面見取図ほかである。（ａ）ボトルキャップ体開栓時正面見取図  （ｂ）部分断面見取図  （ｃ）ボトルキャップ体内周面ほか概略見取図
【図１４】  ボトルキャップ体閉栓時正面展開見取図（他の実施形態）である。（ａ）他の実施形態１  （ｂ）他の実施形態２  （ｃ）他の実施形態３
【図１５】  ボトルキャップ体内周面ほか概略見取図（他の実施形態）である。
【図１６】  ボトルキャップ開栓時正面見取図（他の実施形態）である。
【図１７】  ボトル口部外周正面図（他の実施形態４）である。
【図１８】  ボトル口部外周閉栓方向側側面図（他の実施形態４）である。
【図１９】  ボトル口部外周開栓方向側側面図（他の実施形態４）である。
【符号の説明】
【００３７】  １  ボトルキャップ体
２  ボトルキャップ体周側面
３  切れ目を有する一周線下方のボトルキャップ体周側面
４  ボトルキャップ体内周面突片等設置箇所
５  ボトルキャップ体周側面を上下に分離可能な切れ目を有さない箇所
６  ボトルキャップ体周側面を破断可能な連結体を介して上下に分離可能な切れ目
７  ボトルキャップ体周側面上の切れ目下端
８  ボトルキャップ体周側面上の切れ目上端
９  ボトルキャップ体周側面内周に設置の突片等
１０  連結体破断後のボトルキャップ体周側面空間部分
１１  開栓による連結体破断済箇所
１２  ボトル口部外周
１３  ボトル口部周方向突起
１４  ボトル口部周方向突起の全く存在しない箇所
１５  ボトル口部周方向突起下端フラット面にかかる突部
１６  ボトル口部周方向突起下端面凹部
１７  ボトル口部周方向突起下端フラット面
１８  ボトル口部周方向突起上端面に形成された閉栓方向側に下るスロープ面
１９  ボトル口部周方向突起上端面
２０  ボトル口部外周基礎面
２１  開栓方向側ボトル口部周方向突起側端面
２２  閉栓方向側ボトル口部周方向突起側端面
２３  ボトル口部周方向突起上方に直接突片が抜ける箇所
２４  ボトル口部外周スクリュー部バイパス部分
２５  ボトル口部外周スクリュー部
２６  主にスクリュー部と係合を図るボトルキャップ体周側面内周に設置された突片等
２７  突部周方向先端部上端面
２８  ボトルキャップ
【手続補正３】
【補正対象書類名】図面
【補正対象項目名】全図
【補正方法】変更
【補正の内容】
【図１】
2005247425.tif 000043
【図２】
2005247425.tif 000044
【図３】
2005247425.tif 000045
【図４】
2005247425.tif 000046
【図５】
2005247425.tif 000047
【図６】
2005247425.tif 000048
【図７】
2005247425.tif 000049
【図８】
2005247425.tif 000050
【図９】
2005247425.tif 000051
【図１０】
2005247425.tif 000052
【図１１】
2005247425.tif 000053
【図１２】
2005247425.tif 000054
【図１３】
2005247425.tif 000055
【図１４】
2005247425.tif 000056
【図１５】
2005247425.tif 000057
【図１６】
2005247425.tif 000058
【図１７】
2005247425.tif 000059
【図１８】
2005247425.tif 000060
【図１９】
2005247425.tif 000061